(57)【要約】  少なくとも１つのプロセッサと、コンピュータプログラムコードを含む少なくとも１つのメモリとを備え、少なくとも１つのメモリおよびコンピュータプログラムコードが、緊急通話を実施するために、第１の無線アクセス技術を使用することから第２の無線アクセス技術を使用することにユーザ機器がスイッチすることになると判定することと、第２の無線アクセス技術のセルを介したコアネットワークへのアクセスをユーザ機器がサポートすると判定することと、第１の無線アクセス技術を使用することから第２の無線アクセス技術にユーザ機器をスイッチすることとを少なくとも１つのプロセッサによって装置に少なくとも行わせるように構成される、装置。
2021528920.tif 000002
【特許請求の範囲】
【請求項１】
装置であって、
少なくとも１つのプロセッサと、
コンピュータプログラムコードを含む少なくとも１つのメモリと
を備え、
前記少なくとも１つのメモリおよび前記コンピュータプログラムコードが、
緊急通話を実施するために、第１の無線アクセス技術を使用することから第２の無線アクセス技術を使用することにユーザ機器がスイッチすることになると判定することと、
前記第２の無線アクセス技術のセルを介したコアネットワークへのアクセスを前記ユーザ機器がサポートすると判定することと、
前記第１の無線アクセス技術を使用することから前記第２の無線アクセス技術に前記ユーザ機器をスイッチすることと
を前記少なくとも１つのプロセッサによって前記装置に少なくとも行わせるように構成される、
装置。
【請求項２】
前記少なくとも１つのメモリおよび前記コンピュータプログラムコードが、
前記ユーザ機器によってアクセス可能であり、前記コアネットワークに接続された前記第２の無線アクセス技術の適切なセルがあると判定すること
を前記少なくとも１つのプロセッサによって前記装置に少なくとも行わせるように構成される、請求項１に記載の装置。
【請求項３】
前記コアネットワークが、第１の無線アクセス技術のコアネットワークである、請求項１または２に記載の装置。
【請求項４】
前記コアネットワークが、第２の無線アクセス技術のコアネットワークである、請求項１または２に記載の装置。
【請求項５】
前記ユーザ機器が、前記第１の無線アクセス技術のセルにとどまっている、請求項１から４のいずれかに記載の装置。
【請求項６】
第１の無線アクセス技術を使用することから第２の無線アクセス技術を使用することにスイッチすることが、前記第２の無線アクセス技術のセルを選択することを含む、請求項１から５のいずれかに記載の装置。
【請求項７】
前記少なくとも１つのメモリおよび前記コンピュータプログラムコードが、
前記第１の無線アクセス技術を判定することと、
これに基づいて、前記第１の無線アクセス技術を使用することから第２の無線アクセス技術にスイッチするための少なくとも１つの条件を判定することと
を前記少なくとも１つのプロセッサによって前記装置に少なくとも行わせるように構成される、請求項１から６のいずれかに記載の装置。
【請求項８】
前記少なくとも１つのメモリおよび前記コンピュータプログラムコードが、
単一登録モードまたは２重登録モードで前記ユーザ機器が動作するかどうかを判定することと、
これに基づいて、第１の無線アクセス技術を使用することから第２の無線アクセス技術を使用することにスイッチするための少なくとも１つの条件を判定することと
を前記少なくとも１つのプロセッサによって前記装置に少なくとも行わせるように構成される、請求項１から７のいずれかに記載の装置。
【請求項９】
前記少なくとも１つのメモリおよび前記コンピュータプログラムコードが、
（ｉ）前記第１の無線アクセス技術と前記第２の無線アクセス技術の両方が緊急サービスをサポートするか、前記第１の無線アクセス技術だけが前記緊急サービスをサポートする、（ｉｉ）前記第２の無線アクセス技術だけが前記緊急サービスをサポートする、または（ｉｉｉ）前記第１の無線アクセス技術と前記第２の無線アクセス技術のどれも前記緊急サービスをサポートしない、を判定することと、
これに基づいて、第１の無線アクセス技術の第１のセルを使用することから第２の無線アクセス技術の第２のセルを使用することに前記ユーザ機器をスイッチするための少なくとも１つの条件を判定することと
を前記少なくとも１つのプロセッサによって前記装置に少なくとも行わせるように構成される、請求項１から８のいずれかに記載の装置。
【請求項１０】
前記少なくとも１つのメモリおよび前記コンピュータプログラムコードが、
前記ユーザ機器によってアクセス可能であり、第１の無線アクセスネットワークのコアネットワークに接続された前記第２の無線アクセス技術の適切なセルがないと判定すること
を前記少なくとも１つのプロセッサによって前記装置に少なくとも行わせるように構成される、請求項１から９のいずれかに記載の装置。
【請求項１１】
前記少なくとも１つのメモリおよび前記コンピュータプログラムコードが、
前記ユーザ機器の第１の無線アクセス技術の能力を無効にすること
を前記少なくとも１つのプロセッサによって前記装置に少なくとも行わせるように構成される、請求項１から９のいずれかに記載の装置。
【請求項１２】
前記少なくとも１つのメモリおよび前記コンピュータプログラムコードが、
第２の無線アクセス技術のサービスに前記ユーザ機器がアタッチされていないと判定すること
を前記少なくとも１つのプロセッサによって前記装置に少なくとも行わせるように構成される、請求項１から９のいずれかに記載の装置。
【請求項１３】
前記少なくとも１つのメモリおよび前記コンピュータプログラムコードが、
前記ユーザ機器によってアクセス可能であり、第２の無線アクセスネットワークのコアネットワークに接続された前記第２の無線アクセス技術の適切なセルがあるかどうかを判定すること
を前記少なくとも１つのプロセッサによって前記装置に少なくとも行わせるように構成される、請求項８から１０のいずれかに記載の装置。
【請求項１４】
前記少なくとも１つのメモリおよび前記コンピュータプログラムコードが、
第２の無線アクセス技術のサービスに前記ユーザ機器がアタッチされていると判定すること
を前記少なくとも１つのプロセッサによって前記装置に少なくとも行わせるように構成される、請求項１から１３のいずれかに記載の装置。
【請求項１５】
前記少なくとも１つのメモリおよび前記コンピュータプログラムコードが、
緊急ベアラサービスがサポートされると判定すること
を前記少なくとも１つのプロセッサによって前記装置に少なくとも行わせるように構成される、請求項１３または１４に記載の装置。
【請求項１６】
前記少なくとも１つのメモリおよび前記コンピュータプログラムコードが、
インターネットプロトコル接続アクセス手順をトリガすることによって、前記緊急通話を前記ユーザ機器に実施させること
を前記少なくとも１つのプロセッサによって前記装置に少なくとも行わせるように構成される、請求項１から１５のいずれかに記載の装置。
【請求項１７】
前記少なくとも１つのメモリおよび前記コンピュータプログラムコードが、
緊急サービスフォールバック手順をトリガすることによって、前記緊急通話を前記ユーザ機器に実施させること
を前記少なくとも１つのプロセッサによって前記装置に少なくとも行わせるように構成される、請求項１から１６のいずれかに記載の装置。
【請求項１８】
前記少なくとも１つのメモリおよび前記コンピュータプログラムコードが、
パケットデータユニットセッション確立手順をトリガすることによって、前記緊急通話を前記ユーザ機器に実施させること
を前記少なくとも１つのプロセッサによって前記装置に少なくとも行わせるように構成される、請求項１から１７のいずれかに記載の装置。
【請求項１９】
前記第１の無線アクセス技術が、５Ｇであり、前記第２の無線アクセス技術が、Ｅ−ＵＴＲＡであり、逆もまた同様である、請求項１から１８のいずれかに記載の装置。
【請求項２０】
緊急通話を実施するために、第１の無線アクセス技術を使用することから第２の無線アクセス技術を使用することにユーザ機器がスイッチすることになると判定することと、
前記第２の無線アクセス技術のセルを介したコアネットワークへのアクセスを前記ユーザ機器がサポートすると判定することと、
前記第１の無線アクセス技術を使用することから前記第２の無線アクセス技術に前記ユーザ機器をスイッチすることと
を含む、方法。
【請求項２１】
１つまたは複数のプロセッサ上で動くと、
緊急通話を実施するために、第１の無線アクセス技術を使用することから第２の無線アクセス技術を使用することにユーザ機器がスイッチすることになると判定することと、
前記第２の無線アクセス技術のセルを介したコアネットワークへのアクセスを前記ユーザ機器がサポートすると判定することと、
前記第１の無線アクセス技術を使用することから前記第２の無線アクセス技術に前記ユーザ機器をスイッチすることと
を行うステップを実施するコンピュータ実行可能命令を備えるコンピュータプログラム。
【発明の詳細な説明】
【技術分野】
【０００１】
本開示は、通信システムにおける通信を管理するための装置、方法、およびコンピュータプログラムに関する。
【背景技術】
【０００２】
通信システムは、通信経路に含まれる様々なエンティティ間のキャリアを提供することによって、ユーザ端末、基地局／アクセスポイント、および／または他のノードなどの２つ以上のエンティティ間の通信セッションを可能にする設備とみなすことができる。通信システムは、例えば、通信ネットワークおよび１つまたは複数の互換性のある通信デバイスによって提供することができる。通信セッションは、例えば、音声、電子メール（ｅメール）、テキストメッセージ、マルチメディア、および／またはコンテンツデータ等などの通信を搬送するためのデータの通信を含むことができる。提供されるサービスの非限定的な例は、双方向または多方向の通話、データ通信またはマルチメディアサービス、および、インターネットなどのデータネットワークシステムへのアクセスを含む。ワイヤレス通信システムでは、少なくとも２つの局の間の通信セッションの少なくとも一部は、ワイヤレスリンクで発生する。
【０００３】
ユーザは、適切な通信デバイスまたは端末によって通信システムにアクセスすることができる。ユーザの通信デバイスは、ユーザ機器（ＵＥ：ｕｓｅｒ  ｅｑｕｉｐｍｅｎｔ）またはユーザデバイスと呼ばれることが多い。通信デバイスは、例えば、通信ネットワークへのアクセス、または他のユーザとの直接的な通信を可能にすることといった、通信を可能にすることに適した信号送受信装置を備えつけられる。通信デバイスは、局またはアクセスポイントによって提供されたキャリアにアクセスし、キャリア上の通信を送信および／または受信することができる。
【０００４】
通信システムおよび関連デバイスは、典型的には、システムに関連した様々なエンティティが、何を行うことを許可されるか、および、どのようにこれが達成されるべきかを説明する所与の規格または仕様に従って動作する。接続のために使用されることになる通信プロトコルおよび／またはパラメータも典型的には定義される。通信システムの１つの例は、ＵＴＲＡＮ（３Ｇ無線）である。アーキテクチャのもう１つの例は、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）無線アクセス技術のロングタームエボリューション（ＬＴＥ）として知られる。別の実例の通信システムは、いわゆる、５Ｇ無線またはＮＲ（新無線：ｎｅｗ  ｒａｄｉｏ）アクセス技術である。
【発明の概要】
【０００５】
１つの態様によれば、少なくとも１つのプロセッサと、１つまたは複数のプログラムのためのコンピュータコードを含む少なくとも１つのメモリとを備え、少なくとも１つのメモリおよびコンピュータコードが、緊急通話を実施するために、第１の無線アクセス技術（ｒａｄｉｏ  ａｃｃｅｓｓ  ｔｅｃｈｎｏｌｏｇｙ）を使用することから第２の無線アクセス技術を使用することにユーザ機器がスイッチすることになると判定することと、第２の無線アクセス技術のセルを介したコアネットワークへのアクセスをユーザ機器がサポートすると判定することと、第１の無線アクセス技術を使用することから第２の無線アクセス技術にユーザ機器をスイッチすることとを少なくとも１つのプロセッサによって装置に少なくとも行わせるように構成される、装置が提供される。
【０００６】
少なくとも１つのメモリおよびコンピュータプログラムコードは、ユーザ機器によってアクセス可能であり、コアネットワークに接続された第２の無線アクセス技術の適切なセルがあると判定することを少なくとも１つのプロセッサによって装置に少なくとも行わせることができるように構成される。
【０００７】
コアネットワークは、第１の無線アクセス技術のコアネットワークであってもよい。
【０００８】
コアネットワークは、第２の無線アクセス技術のコアネットワークであってもよい。
【０００９】
ユーザ機器は、第１の無線アクセス技術のセルにとどまっていてもよい。
【００１０】
第１の無線アクセス技術を使用することから第２の無線アクセス技術を使用することにスイッチすることは、第２の無線アクセス技術のセルを選択することを含むことができる。
【００１１】
少なくとも１つのメモリおよびコンピュータプログラムコードは、第１の無線アクセス技術を判定することと、これに基づいて、第１の無線アクセス技術を使用することから第２の無線アクセス技術にスイッチするための少なくとも１つの条件を判定することとを少なくとも１つのプロセッサによって装置に少なくとも行わせることができるように構成される。
【００１２】
少なくとも１つのメモリおよびコンピュータプログラムコードは、単一登録（ｓｉｎｇｌｅ  ｒｅｇｉｓｔｒａｔｉｏｎ）モードまたは２重登録（ｄｕａｌ  ｒｅｇｉｓｔｒａｔｉｏｎ）モードでユーザ機器が動作するかどうかを判定することと、これに基づいて、第１の無線アクセス技術を使用することから第２の無線アクセス技術を使用することにスイッチするための少なくとも１つの条件を判定することとを少なくとも１つのプロセッサによって装置に少なくとも行わせることができるように構成される。
【００１３】
少なくとも１つのメモリおよびコンピュータプログラムコードは、（ｉ）第１の無線アクセス技術と第２の無線アクセス技術の両方が緊急サービスをサポートするか、第１の無線アクセス技術だけが緊急サービスをサポートする、（ｉｉ）第２の無線アクセス技術だけが緊急サービスをサポートする、または（ｉｉｉ）第１の無線アクセス技術と第２の無線アクセス技術のどれも緊急サービスをサポートしない、を判定することと、これに基づいて、第１の無線アクセス技術の第１のセルを使用することから第２の無線アクセス技術の第２のセルを使用することにユーザ機器をスイッチするための少なくとも１つの条件を判定することとを少なくとも１つのプロセッサによって装置に少なくとも行わせることができるように構成される。
【００１４】
少なくとも１つのメモリおよびコンピュータプログラムコードは、ユーザ機器によってアクセス可能であり、第１の無線アクセスネットワークのコアネットワークに接続された第２の無線アクセス技術の適切なセルがないと判定することを少なくとも１つのプロセッサによって装置に少なくとも行わせることができるように構成される。
【００１５】
少なくとも１つのメモリおよびコンピュータプログラムコードは、ユーザ機器の第１の無線アクセス技術の能力を無効にすることを少なくとも１つのプロセッサによって装置に少なくとも行わせることができるように構成される。
【００１６】
少なくとも１つのメモリおよびコンピュータプログラムコードは、第２の無線アクセス技術のサービスにユーザ機器がアタッチされていないと判定することを少なくとも１つのプロセッサによって装置に少なくとも行わせることができるように構成される。
【００１７】
少なくとも１つのメモリおよびコンピュータプログラムコードは、ユーザ機器によってアクセス可能であり、第２の無線アクセスネットワークのコアネットワークに接続された第２の無線アクセス技術の適切なセルがあるかどうかを判定することを少なくとも１つのプロセッサによって装置に少なくとも行わせることができるように構成される。
【００１８】
少なくとも１つのメモリおよびコンピュータプログラムコードは、第２の無線アクセス技術のサービスにユーザ機器がアタッチされていると判定することを少なくとも１つのプロセッサによって装置に少なくとも行わせることができるように構成される。
【００１９】
少なくとも１つのメモリおよびコンピュータプログラムコードは、緊急ベアラサービスがサポートされると判定することを少なくとも１つのプロセッサによって装置に少なくとも行わせることができるように構成される。
【００２０】
少なくとも１つのメモリおよびコンピュータプログラムコードは、インターネットプロトコル接続アクセス手順をトリガすることによって、緊急通話をユーザ機器に実施させることを少なくとも１つのプロセッサによって装置に少なくとも行わせることができるように構成される。
【００２１】
少なくとも１つのメモリおよびコンピュータプログラムコードは、緊急サービスフォールバック手順をトリガすることによって、緊急通話をユーザ機器に実施させることを少なくとも１つのプロセッサによって装置に少なくとも行わせることができるように構成される。
【００２２】
少なくとも１つのメモリおよびコンピュータプログラムコードは、パケットデータユニットセッション確立手順をトリガすることによって、緊急通話をユーザ機器に実施させることを少なくとも１つのプロセッサによって装置に少なくとも行わせることができるように構成される。
【００２３】
第１の無線アクセス技術は、５Ｇであってもよく、第２の無線アクセス技術は、Ｅ−ＵＴＲＡであってもよく、逆もまた同様である。
【００２４】
１つの態様によれば、緊急通話を実施するために、第１の無線アクセス技術を使用することから第２の無線アクセス技術を使用することにユーザ機器がスイッチすることになると判定することと、第２の無線アクセス技術のセルを介したコアネットワークへのアクセスをユーザ機器がサポートすると判定することと、第１の無線アクセス技術を使用することから第２の無線アクセス技術にユーザ機器をスイッチすることとを行うための手段を備える装置が提供される。
【００２５】
装置は、ユーザ機器によってアクセス可能であり、コアネットワークに接続された第２の無線アクセス技術の適切なセルがあると判定することを行うための手段を備えることができる。
【００２６】
コアネットワークは、第１の無線アクセス技術のコアネットワークであってもよい。
【００２７】
コアネットワークは、第２の無線アクセス技術のコアネットワークであってもよい。
【００２８】
ユーザ機器は、第１の無線アクセス技術のセルにとどまっていてもよい。
【００２９】
第１の無線アクセス技術を使用することから第２の無線アクセス技術を使用することにスイッチすることは、第２の無線アクセス技術のセルを選択することを含むことができる。
【００３０】
装置は、第１の無線アクセス技術を判定することと、これに基づいて、第１の無線アクセス技術を使用することから第２の無線アクセス技術にスイッチするための少なくとも１つの条件を判定することとを行うための手段を備えることができる。
【００３１】
装置は、単一登録モードまたは２重登録モードでユーザ機器が動作するかどうかを判定することと、これに基づいて、第１の無線アクセス技術を使用することから第２の無線アクセス技術を使用することにスイッチするための少なくとも１つの条件を判定することとを行うための手段を備えることができる。
【００３２】
装置は、（ｉ）第１の無線アクセス技術と第２の無線アクセス技術の両方が緊急サービスをサポートするか、第１の無線アクセス技術だけが緊急サービスをサポートする、（ｉｉ）第２の無線アクセス技術だけが緊急サービスをサポートする、または（ｉｉｉ）第１の無線アクセス技術と第２の無線アクセス技術のどれも緊急サービスをサポートしない、を判定することと、これに基づいて、第１の無線アクセス技術の第１のセルを使用することから第２の無線アクセス技術の第２のセルを使用することにユーザ機器をスイッチするための少なくとも１つの条件を判定することとを行うための手段を備えることができる。
【００３３】
装置は、ユーザ機器によってアクセス可能であり、第１の無線アクセスネットワークのコアネットワークに接続された第２の無線アクセス技術の適切なセルがないと判定することを行うための手段を備えることができる。
【００３４】
装置は、ユーザ機器の第１の無線アクセス技術の能力を無効にすることを行うための手段を備えることができる。
【００３５】
装置は、第２の無線アクセス技術のサービスにユーザ機器がアタッチされていないと判定することを行うための手段を備えることができる。
【００３６】
装置は、ユーザ機器によってアクセス可能であり、第２の無線アクセスネットワークのコアネットワークに接続された第２の無線アクセス技術の適切なセルがあるかどうかを判定することを行うための手段を備えることができる。
【００３７】
装置は、第２の無線アクセス技術のサービスにユーザ機器がアタッチされていると判定することを行うための手段を備えることができる。
【００３８】
装置は、緊急ベアラサービスがサポートされると判定することを行うための手段を備えることができる。
【００３９】
装置は、インターネットプロトコル接続アクセス手順をトリガすることによって、緊急通話をユーザ機器に実施させることを行うための手段を備えることができる。
【００４０】
装置は、緊急サービスフォールバック手順をトリガすることによって、緊急通話をユーザ機器に実施させることを行うための手段を備えることができる。
【００４１】
装置は、パケットデータユニットセッション確立手順をトリガすることによって、緊急通話をユーザ機器に実施させることを行うための手段を備えることができる。
【００４２】
第１の無線アクセス技術は、５Ｇであってもよく、第２の無線アクセス技術は、Ｅ−ＵＴＲＡであってもよく、逆もまた同様である。
【００４３】
１つの態様によれば、緊急通話を実施するために、第１の無線アクセス技術を使用することから第２の無線アクセス技術を使用することにユーザ機器がスイッチすることになると判定することと、第２の無線アクセス技術のセルを介したコアネットワークへのアクセスをユーザ機器がサポートすると判定することと、第１の無線アクセス技術を使用することから第２の無線アクセス技術にユーザ機器をスイッチすることとを含む方法が提供される。
【００４４】
方法は、ユーザ機器によってアクセス可能であり、コアネットワークに接続された第２の無線アクセス技術の適切なセルがあると判定することを含むことができる。
【００４５】
コアネットワークは、第１の無線アクセス技術のコアネットワークであってもよい。
【００４６】
コアネットワークは、第２の無線アクセス技術のコアネットワークであってもよい。
【００４７】
ユーザ機器は、第１の無線アクセス技術のセルにとどまっていてもよい。
【００４８】
第１の無線アクセス技術を使用することから第２の無線アクセス技術を使用することにスイッチすることは、第２の無線アクセス技術のセルを選択することを含むことができる。
【００４９】
方法は、第１の無線アクセス技術を判定することと、これに基づいて、第１の無線アクセス技術を使用することから第２の無線アクセス技術にスイッチするための少なくとも１つの条件を判定することとを含むことができる。
【００５０】
方法は、単一登録モードまたは２重登録モードでユーザ機器が動作するかどうかを判定することと、これに基づいて、第１の無線アクセス技術を使用することから第２の無線アクセス技術を使用することにスイッチするための少なくとも１つの条件を判定することとを含むことができる。
【００５１】
方法は、（ｉ）第１の無線アクセス技術と第２の無線アクセス技術の両方が緊急サービスをサポートするか、第１の無線アクセス技術だけが緊急サービスをサポートする、（ｉｉ）第２の無線アクセス技術だけが緊急サービスをサポートする、または（ｉｉｉ）第１の無線アクセス技術と第２の無線アクセス技術のどれも緊急サービスをサポートしない、を判定することと、これに基づいて、第１の無線アクセス技術の第１のセルを使用することから第２の無線アクセス技術の第２のセルを使用することにユーザ機器をスイッチするための少なくとも１つの条件を判定することとを含むことができる。
【００５２】
方法は、ユーザ機器によってアクセス可能であり、第１の無線アクセスネットワークのコアネットワークに接続された第２の無線アクセス技術の適切なセルがないと判定することを含むことができる。
【００５３】
方法は、ユーザ機器の第１の無線アクセス技術の能力を無効にすることを含むことができる。
【００５４】
方法は、第２の無線アクセス技術のサービスにユーザ機器がアタッチされていないと判定することを含むことができる。
【００５５】
方法は、ユーザ機器によってアクセス可能であり、第２の無線アクセスネットワークのコアネットワークに接続された第２の無線アクセス技術の適切なセルがあるかどうかを判定することを含むことができる。
【００５６】
方法は、第２の無線アクセス技術のサービスにユーザ機器がアタッチされていると判定することを含むことができる。
【００５７】
方法は、緊急ベアラサービスがサポートされると判定することを含むことができる。
【００５８】
方法は、インターネットプロトコル接続アクセス手順をトリガすることによって、緊急通話をユーザ機器に実施させることを含むことができる。
【００５９】
方法は、緊急サービスフォールバック手順をトリガすることによって、緊急通話をユーザ機器に実施させることを含むことができる。
【００６０】
方法は、パケットデータユニットセッション確立手順をトリガすることによって、緊急通話をユーザ機器に実施させることを含むことができる。
【００６１】
第１の無線アクセス技術は、５Ｇであってもよく、第２の無線アクセス技術は、Ｅ−ＵＴＲＡであってもよく、逆もまた同様である。
【００６２】
１つの態様によれば、少なくとも１つのプロセス上で動くと、緊急通話を実施するために、第１の無線アクセス技術を使用することから第２の無線アクセス技術を使用することにユーザ機器がスイッチすることになると判定することと、第２の無線アクセス技術のセルを介したコアネットワークへのアクセスをユーザ機器がサポートすると判定することと、第１の無線アクセス技術を使用することから第２の無線アクセス技術にユーザ機器をスイッチすることとを行うように構成されるコンピュータ実行可能コードを含むコンピュータプログラムが提供される。
【００６３】
少なくとも１つのプロセスは、ユーザ機器によってアクセス可能であり、コアネットワークに接続された第２の無線アクセス技術の適切なセルがあると判定することを行うように構成されてもよい。
【００６４】
コアネットワークは、第１の無線アクセス技術のコアネットワークであってもよい。
【００６５】
コアネットワークは、第２の無線アクセス技術のコアネットワークであってもよい。
【００６６】
ユーザ機器は、第１の無線アクセス技術のセルにとどまっていてもよい。
【００６７】
第１の無線アクセス技術を使用することから第２の無線アクセス技術を使用することにスイッチすることは、第２の無線アクセス技術のセルを選択することを含むことができる。
【００６８】
少なくとも１つのプロセスは、第１の無線アクセス技術を判定することと、これに基づいて、第１の無線アクセス技術を使用することから第２の無線アクセス技術にスイッチするための少なくとも１つの条件を判定することとを行うように構成されてもよい。
【００６９】
少なくとも１つのプロセスは、単一登録モードまたは２重登録モードでユーザ機器が動作するかどうかを判定することと、これに基づいて、第１の無線アクセス技術を使用することから第２の無線アクセス技術を使用することにスイッチするための少なくとも１つの条件を判定することとを行うように構成されてもよい。
【００７０】
少なくとも１つのプロセスは、（ｉ）第１の無線アクセス技術と第２の無線アクセス技術の両方が緊急サービスをサポートするか、第１の無線アクセス技術だけが緊急サービスをサポートする、（ｉｉ）第２の無線アクセス技術だけが緊急サービスをサポートする、または（ｉｉｉ）第１の無線アクセス技術と第２の無線アクセス技術のどれも緊急サービスをサポートしない、を判定することと、これに基づいて、第１の無線アクセス技術の第１のセルを使用することから第２の無線アクセス技術の第２のセルを使用することにユーザ機器をスイッチするための少なくとも１つの条件を判定することとを行うように構成されてもよい。
【００７１】
少なくとも１つのプロセスは、ユーザ機器によってアクセス可能であり、第１の無線アクセスネットワークのコアネットワークに接続された第２の無線アクセス技術の適切なセルがないと判定することを行うように構成されてもよい。
【００７２】
少なくとも１つのプロセスは、ユーザ機器の第１の無線アクセス技術の能力を無効にすることを行うように構成されてもよい。
【００７３】
少なくとも１つのプロセスは、第２の無線アクセス技術のサービスにユーザ機器がアタッチされていないと判定することを行うように構成されてもよい。
【００７４】
少なくとも１つのプロセスは、ユーザ機器によってアクセス可能であり、第２の無線アクセスネットワークのコアネットワークに接続された第２の無線アクセス技術の適切なセルがあるかどうかを判定することを行うように構成されてもよい。
【００７５】
少なくとも１つのプロセスは、第２の無線アクセス技術のサービスにユーザ機器がアタッチされていると判定することを行うように構成されてもよい。
【００７６】
少なくとも１つのプロセスは、緊急ベアラサービスがサポートされると判定することを行うように構成されてもよい。
【００７７】
少なくとも１つのプロセスは、インターネットプロトコル接続アクセス手順をトリガすることによって、緊急通話をユーザ機器に実施させることを行うように構成されてもよい。
【００７８】
少なくとも１つのプロセスは、緊急サービスフォールバック手順をトリガすることによって、緊急通話をユーザ機器に実施させることを行うように構成されてもよい。
【００７９】
少なくとも１つのプロセスは、パケットデータユニットセッション確立手順をトリガすることによって、緊急通話をユーザ機器に実施させることを行うように構成されてもよい。
【００８０】
第１の無線アクセス技術は、５Ｇであってもよく、第２の無線アクセス技術は、Ｅ−ＵＴＲＡであってもよく、逆もまた同様である。
【００８１】
１つの態様によれば、上記の方法のうちの少なくとも１つを実施するための、記憶されたプログラム命令を備えるコンピュータ可読媒体が提供される。
【００８２】
１つの態様によれば、上記の方法のうちの少なくとも１つを実施するための、記憶されたプログラム命令を備える非一時的コンピュータ可読媒体が提供される。
【００８３】
上記では、多くの様々な態様を説明してきた。上記で説明した態様のいずれか２つ以上の組合せによって、さらなる態様を提供できることを理解されたい。
【００８４】
以下の詳細な説明、および添付の特許請求の範囲において、他の様々な態様も説明する。
【００８５】
省略形の一覧
５ＧＣＮ：５Ｇコアネットワーク
ＣＡＮ：接続アクセスネットワーク
ＣＳ：回線交換型
ＤＲ：２重登録
ＥＭＣ：緊急サービスサポート指標
ＥＭＣ  ＢＳ：緊急ベアラサービス指標
ＥＭＦ：緊急サービスフォールバック指標
ＥＰＣ：エボルブドパケットコアネットワーク
ＥＰＳ：エボルブドパケットシステム
ＥＳＦＢ：緊急サービスフォールバック
Ｅ−ＵＴＲＡ：エボルブドＵＭＴＳ地上波無線アクセス
ＩＰ：インターネットプロトコル
ＩＭＣＮ：インターネットマルチメディアコアネットワーク
ＮＲ：５Ｇ新無線
ＰＤＵ：パケットデータユニット
ＲＡＴ：無線アクセス技術
ＳＲ：単一登録
【００８６】
添付の図を参照しながら、ほんの一例として、実施形態を次に説明する。
【図面の簡単な説明】
【００８７】
【図１】制御装置の概略図である。
【図２】通信デバイスの概略図である。
【図３】通信デバイスがＳＲモードで動作するときに、通信デバイスによって実施される方法の図の概略図である。
【図４】ＮＲセル内の通信デバイスがＳＲモードで動作し、５ＧＣＮに接続されたＥ−ＵＴＲＡセルによっても、５ＧＣＮに接続されたＮＲセルによっても緊急サービスがサポートされないときに、通信デバイスによって実施される方法の図の概略図である。
【図５】ＮＲセル内の通信デバイスがＳＲモードで動作し、５ＧＣＮに接続されたＥ−ＵＴＲＡセルによってのみ、緊急サービスがサポートされるときに、通信デバイスによって実施される方法の図の概略図である。
【図６】ＮＲセル内の通信デバイスがＳＲモードで動作し、緊急サービスが、５ＧＣＮに接続されたＮＲセルによってのみサポートされるか、または５ＧＣＮに接続されたＮＲセルとＥ−ＵＴＲＡセルの両方によってサポートされるときに、通信デバイスによって実施される方法の図の概略図である。
【図７】Ｅ−ＵＴＲＡセル内の通信デバイスがＳＲモードで動作し、５ＧＣＮに接続されたＥ−ＵＴＲＡセルによっても、５ＧＣＮに接続されたＮＲセルによっても緊急サービスがサポートされないときに、通信デバイスによって実施される方法の図の概略図である。
【図８】Ｅ−ＵＴＲＡセル内の通信デバイスがＳＲモードで動作し、５ＧＣＮに接続されたＮＲセルによってのみ、緊急サービスがサポートされるときに、通信デバイスによって実施される方法の図の概略図である。
【図９】Ｅ−ＵＴＲＡセル内の通信デバイスがＳＲモードで動作し、緊急サービスが、５ＧＣＮに接続されたＥ−ＵＴＲＡセルによってのみサポートされるか、または５ＧＣＮに接続されたＮＲセルとＥ−ＵＴＲＡセルの両方によってサポートされるときに、通信デバイスによって実施される方法の図の概略図である。
【図１０】通信デバイスがＤＲで動作するときに、通信デバイスによって実施される方法の図の概略図である。
【図１１】ＮＲセル内の通信デバイスがＤＲモードで動作し、５ＧＣＮに接続されたＥ−ＵＴＲＡセルによっても、５ＧＣＮに接続されたＮＲセルによっても緊急サービスがサポートされないときに、通信デバイスによって実施される方法の図の概略図である。
【図１２】ＮＲセル内の通信デバイスがＤＲモードで動作し、５ＧＣＮに接続されたＥ−ＵＴＲＡセルによってのみ、緊急サービスがサポートされるときに、通信デバイスによって実施される方法の図の概略図である。
【図１３】ＮＲセル内の通信デバイスがＤＲモードで動作し、緊急サービスが、５ＧＣＮに接続されたＥ−ＵＴＲＡセルによってのみサポートされるか、または５ＧＣＮに接続されたＮＲセルとＥ−ＵＴＲＡセルの両方によってサポートされるときに、通信デバイスによって実施される方法の図の概略図である。
【図１４】Ｅ−ＵＴＲＡセル内の通信デバイスがＤＲモードで動作し、５ＧＣＮに接続されたＥ−ＵＴＲＡセルによっても、５ＧＣＮに接続されたＮＲセルによっても緊急サービスがサポートされないときに、通信デバイスによって実施される方法の図の概略図である。
【図１５】Ｅ−ＵＴＲＡセル内の通信デバイスがＤＲモードで動作し、５ＧＣＮに接続されたＮＲセルによってのみ、緊急サービスがサポートされるときに、通信デバイスによって実施される方法の図の概略図である。
【図１６】Ｅ−ＵＴＲＡセル内の通信デバイスがＤＲモードで動作し、緊急サービスが、５ＧＣＮに接続されたＮＲセルによってのみサポートされるか、または５ＧＣＮに接続されたＮＲセルとＥ−ＵＴＲＡセルの両方によってサポートされるときに、通信デバイスによって実施される方法の図の概略図である。
【図１７】通信デバイスが緊急通話リクエストを受信したときに、通信デバイスによって実施される方法の図の概略図である。
【発明を実施するための形態】
【００８８】
以下では、モバイル通信デバイスをサーブするワイヤレスセルラーシステムおよび移動体通信システムを介して通信することができる、このようなモバイル通信デバイスを参照しながら一定の実施形態を説明する。例示の実施形態を詳細に説明する前に、ワイヤレス通信システム、そのアクセスシステム、およびモバイル通信デバイスの一定の概略の原理を、説明される例の基礎となる技術の理解を助けるために、図１および図２を参照しながら簡単に説明する。
【００８９】
図２に示したものなどの通信デバイス２０または端末は、無線アクセスシステムのアクセスポイントを提供するセル、基地局、または類似のワイヤレストランスミッタ、および／もしくはレシーバノードを介したワイヤレスアクセスを提供することができる。
【００９０】
アクセスポイント、およびしたがって、アクセスポイントを通じた通信は、典型的には、アクセスポイントの動作、およびアクセスポイントと通信するモバイル通信デバイスの管理を可能にするように、少なくとも１つの適切なコントローラ装置によって制御される。図１は、例えば、アクセスポイントと統合されることになる、アクセスポイントに連結されることになる、および／またはそうでなければ、アクセスポイントを制御するための、ノードのための制御装置の例を示す。制御装置１０は、ユーザ機器とコアネットワークとの間の通信を可能にするように配置することができる。このために、制御装置は、少なくとも１つのメモリ１１、少なくとも１つのデータ処理ユニット１２、１３、および入出力インターフェース１４を備える。インターフェースを介して、制御装置は、アクセスポイントの他の関連構成要素に連結することができる。制御装置は、適切なソフトウェアコードを実行して、制御機能を提供するように構成することができる。例えば、コアネットワークエンティティ内といった、ネットワークシステム内の他の場所に備えつけられた制御装置内に、類似の構成要素を備えつけることができることが認識されよう。制御装置は、他の制御エンティティと相互接続することができる。制御装置および機能は、いくつかの制御ユニットの間に分散させることができる。いくつかの実施形態では、各基地局は、制御装置を備えることができる。代替実施形態では、２つ以上の基地局が、制御装置を共有することができる。
【００９１】
アクセスポイントおよび関連するコントローラは、固定回線接続を介して、および／または無線インターフェースを介して、互いに通信することができる。基地局ノード間の論理接続は、例えば、Ｘ２または同様のインターフェースによって提供することができる。このインターフェースは、例えば、局の動作の協調、および再選択またはハンドオーバ動作の実施のために使用することができる。
【００９２】
通信デバイスまたはユーザ機器（ＵＥ）２０は、データのワイヤレス通信を少なくとも受信することができる任意の適切なデバイスを備えることができる。例えば、デバイスは、無線レシーバ、データ処理およびユーザインターフェース装置を装備したハンドヘルドデータ処理デバイスであってもよい。非限定的な例は、携帯電話、もしくは「スマートフォン」として知られるものなどの移動局（ＭＳ）、ワイヤレスインターフェースカードもしくは他のワイヤレスインターフェース設備を備えつけたラップトップもしくはタブレット型コンピュータなどの携帯型コンピュータ、ワイヤレス通信能力を提供したパーソナルデータアシスタント（ＰＤＡ）、またはこれらもしくは同様のものの任意の組合せを含む。さらなる例は、腕時計またはスマートウォッチ、アイウェア、ヘルメット、帽子、衣類、ワイヤレス接続を有するイヤホン、宝飾品等と統合されたものなどのウェアラブルワイヤレスデバイス、ワイヤレス能力を有するユニバーサルシリアルバス（ＵＳＢ）スティック、モデムデータカード、マシンタイプデバイス、またはこれらもしくは同様のものの任意の組合せを含む。
【００９３】
図２は、可能な通信デバイスの概略的な部分断面図を示す。より詳細には、ハンドヘルド、またはそうでなければモバイル通信デバイス（もしくはユーザ機器ＵＥ）２０を示す。ワイヤレス通信能力を有するモバイル通信デバイス、および、モバイル通信デバイスの動作を可能にするための適切な電子制御装置を示す。したがって、実施するように設計されたタスクのソフトウェアおよびハードウェアによる実行に使用するための、例えば、中央処理装置および／またはコアプロセッサ、少なくとも１つのメモリ２８、ならびに、さらなるプロセッサ２５およびメモリ２９などの他の可能な構成要素といった、少なくとも１つのデータ処理エンティティ２６を備えつけた通信デバイス２０を示す。データ処理、ストレージ、および他の関連制御装置は、適切な回路基板２７上に、および／またはチップセット内に備えつけることができる。通信デバイスの制御装置によって提供されるデータ処理およびメモリ機能は、本説明の後で説明するような一定の実施形態による制御および信号伝達動作を行うように構成される。ユーザは、タッチ式表示画面またはパッド２４および／もしくはキーパッド、１つ以上のアクチュエータボタン２２、音声コマンド、これらまたは同様のものの組合せなどの適切なユーザインターフェースによって、通信デバイスの動作を制御することができる。スピーカおよびマイクロフォンも典型的に提供される。さらに、モバイル通信デバイスは、他のデバイスへの、および／または、例えばハンズフリー機器といった外部アクセサリをモバイル通信デバイスに接続するための、適切なコネクタ（有線またはワイヤレス）を備えることができる。
【００９４】
通信デバイスは、信号を送受信するのに適した装置を介してワイヤレスで通信することができる。図２は、デバイスの制御装置に接続された無線ブロック２３を概略的に示す。無線ブロックは、無線部品および関連するアンテナ配列を備えることができる。アンテナ配列は、通信デバイスの内部または外部に配列することができる。
【００９５】
通信デバイスは、通信デバイスが単一の無線アクセス技術のコアネットワーク（例えばＥＰＣまたは５ＧＣＮ）に登録されるＳＲモードで、または、通信デバイスが２つの無線アクセス技術のコアネットワーク（例えばＥＰＣおよび５ＧＣＮ）に登録されるＤＲモードで、動作することができる。
【００９６】
３ＧＰＰ  ＴＳ２４．２２９の従属節Ｕ．２．２．６．４は、特定のアクセス技術のセル内にＵＥがあるときのＥＭＣおよびＥＭＦ指標、ならびにＥＳＦＢのＵＥのサポートに従って、ＳＲモードのＵＥがどのように動作するかを説明する。それでも、従属節にはいくつかの不完全または不正確な説明がある。以下の実施形態の１つまたは複数は、これらの問題に対処する。
【００９７】
要約すれば、「緊急サービスがサポートされない」ことをＥＭＣが示し、ＵＥがＥＳＦＢをサポートし、ＥＳＦＢがＮである場合、以下であることが望ましくなり得る。
−  ＲＡＴでＥＳＦＢがサポートされることをＥＭＦが示し、ＲＡＴを介した５ＧＣＮへのアクセスをＵＥがサポートする場合、ＵＥはＲＡＴセルを選択しようとする。または
−  ＲＡＴでもＥＳＦＢがサポートされないことをＥＭＦが示すか、もしくは、ＲＡＴを介した５ＧＣＮへのアクセスをＵＥがサポートしない場合、ＵＥは、３ＧＰＰアクセスのためのＮ１モード能力を無効にし、Ｅ−ＵＴＲＡＮセルを選択しようとする。
【００９８】
ＲＡＴだけで緊急サービスがサポートされることをＥＭＣが示す場合、かつ、ＵＥがＥＳＦＢをサポートしないか、またはＥＳＦＢがＮである場合、以下であることが望ましくなり得る。
−  ＲＡＴを介した５ＧＣＮへのアクセスをＵＥがサポートする場合、ＵＥはＲＡＴセルを選択しようとする。または
−  ＲＡＴを介した５ＧＣＮへのアクセスをＵＥがサポートしない場合、ＵＥは、３ＧＰＰアクセスのためのＮ１モード能力を無効にし、Ｅ−ＵＴＲＡＮセルを選択しようとする。
【００９９】
５ＧＣＮに接続されたＲＡＴセルを選択しようとするＵＥの試みは失敗する可能性がある。失敗した場合、ＵＥは、Ｅ−ＵＴＲＡＮセルを選択しようとすることができる。
【０１００】
Ｅ−ＵＴＲＡＮセルを選択しようとするＵＥの試みは、失敗する可能性がある。本従属節の範囲外であることから、失敗した場合に対処する必要がないとしても、本明細書は、成功が保証されるかのように説明するべきではない。
【０１０１】
「Ｓ１モードの緊急ベアラサービスがサポートされる」ようにＥＭＣ  ＢＳがセットされた場合、Ｅ−ＵＴＲＡＮを介した緊急通話の確立を行うことができる。緊急ベアラサービスをＥＰＳがサポートしない場合、ＵＥは、例えばＣＳを試みてもよいが、これは、従属節の範囲外である。
【０１０２】
以下を列挙するために、３ＧＰＰ  ＴＳ２４．２２９の従属節Ｕ．２．２．６．４を修正することによって、これらの変更を反映することを提案する。
【０１０３】
「Ｕ．２．２．６．４  単一登録モードでの緊急サービス
注：本従属節は、３ＧＰＰ  ＴＳ２３．１６７［４Ｂ］で指定された規則およびルールに従って、ＩＭ  ＣＮサブシステムをＵＥが選択するケースだけを含み、ＩＰ−ＣＡＮ固有手順を説明する。これは、ＣＳドメインの使用を排除しないが、ＣＳドメインの使用は、本従属節の範囲外である。
【０１０４】
３ＧＰＰ  ＴＳ２４．５０１［２５８］で説明されたような単一登録モードでＵＥが動作し、通話リクエストが緊急通話であるとＵＥが認識すると、以下の場合、
−  ３ＧＰＰ  ＴＳ２３．１６７［４Ｂ］で指定された規則およびルールに従って、ＩＭ  ＣＮサブシステムが選択される、ならびに
−  ＵＥが現在、５ＧＳサービスに登録されているが、５ＧＣＮに接続されたＮＲセル内にＵＥがある
以下の処置が適用される。
１）「緊急サービスがサポートされない」ことをＥＭＣが示す場合、
ａ）３ＧＰＰ  ＴＳ２３．５０１［２５７］で指定されたような緊急サービスフォールバックをＵＥがサポートし、緊急サービスフォールバックが利用可能である（すなわち、３ＧＰＰ  ＴＳ２３．１６７［４Ｂ］で説明されたような「ＥＳＦＢがＹである」）場合、ＵＥは、３ＧＰＰ  ＴＳ２４．５０１［２５８］で指定されたような緊急サービスフォールバックをトリガすることによって、緊急通話を試みることになる。
ｂ）３ＧＰＰ  ＴＳ２３．５０１［２５７］で指定されたような緊急サービスフォールバックをＵＥがサポートし、緊急サービスフォールバックが利用可能でない（すなわち、３ＧＰＰ  ＴＳ２３．１６７［４Ｂ］で説明されたような「ＥＳＦＢがＮである」）場合、ＵＥは、以下を行うことになる。
−  「５ＧＣＮに接続されたＥ−ＵＴＲＡだけで緊急サービスフォールバックがサポートされる」ようにＥＭＦがセットされ、ＵＥがＥ−ＵＴＲＡを介して５ＧＣＮにアクセスすることができる場合、５ＧＣＮに接続されたＥ−ＵＴＲＡセルを選択しようとする。適切な、５ＧＣＮに接続されたＥ−ＵＴＲＡセルをＵＥが見つけた場合、ＵＥは、５ＧＣＮに接続されたＥ−ＵＴＲＡを介して、３ＧＰＰ  ＴＳ２４．５０１［２５８］で指定されたような緊急サービスフォールバックをトリガすることによって、緊急通話を試みることになる。
そうでなければ、適切な、５ＧＣＮに接続されたＥ−ＵＴＲＡセルをＵＥが見つけなかった場合、ＵＥは、ＥＰＣに接続されたＥ−ＵＴＲＡセルを選択しようとすることになる。適切な、ＥＰＣに接続されたＥ−ＵＴＲＡセルをＵＥが見つけた場合、３ＧＰＰ  ＴＳ２４．３０１［８Ｊ］で説明されたような「Ｓ１モードの緊急ベアラサービスがサポートされる」ようにＥＭＣ  ＢＳがセットされることをＴＲＡＣＫＩＮＧ  ＡＲＥＡ  ＵＰＤＡＴＥ  ＡＣＣＥＰＴメッセージの中でネットワークが示すと、ＵＥは、付録Ｌで説明されたようなＩＰ−ＣＡＮ固有手順を実施して、緊急通話を確立することになる。または
−  「５ＧＣＮに接続されたＥ−ＵＴＲＡだけで緊急サービスフォールバックがサポートされる」ようにＥＭＦがセットされないか、もしくはＵＥがＥ−ＵＴＲＡを介して５ＧＣＮにアクセスすることができない場合、３ＧＰＰ  ＴＳ２４．５０１［２５７］で指定されたような３ＧＰＰアクセスのためのＮ１モード能力を無効にし、ＥＰＣに接続されたＥ−ＵＴＲＡセルを選択しようとする。適切な、ＥＰＣに接続されたＥ−ＵＴＲＡセルをＵＥが見つけた場合、３ＧＰＰ  ＴＳ２４．３０１［８Ｊ］で説明されたような「Ｓ１モードの緊急ベアラサービスがサポートされる」ようにＥＭＣ  ＢＳがセットされることをＴＲＡＣＫＩＮＧ  ＡＲＥＡ  ＵＰＤＡＴＥ  ＡＣＣＥＰＴメッセージの中でネットワークが示すと、ＵＥは、付録Ｌで説明されたようなＩＰ−ＣＡＮ固有手順を実施して、緊急通話を確立することになる。および
ｃ）３ＧＰＰ  ＴＳ２３．５０１［２５７］で指定されたような緊急サービスフォールバックをＵＥがサポートしない場合、ＵＥは、３ＧＰＰ  ＴＳ２４．５０１［２５７］で指定されたような３ＧＰＰアクセスのためのＮ１モード能力を無効にし、ＥＰＣに接続されたＥ−ＵＴＲＡセルを選択しようとすることになる。適切な、ＥＰＣに接続されたＥ−ＵＴＲＡセルをＵＥが見つけた場合、３ＧＰＰ  ＴＳ２４．３０１［８Ｊ］で説明されたような「Ｓ１モードの緊急ベアラサービスがサポートされる」ようにＥＭＣ  ＢＳがセットされることをＴＲＡＣＫＩＮＧ  ＡＲＥＡ  ＵＰＤＡＴＥ  ＡＣＣＥＰＴメッセージの中でネットワークが示すと、ＵＥは、付録Ｌで説明されたようなＩＰ−ＣＡＮ固有手順を実施して、緊急通話を確立することになる。
２）「５ＧＣＮに接続されたＥ−ＵＴＲＡだけで緊急サービスがサポートされる」ことをＥＭＣが示す場合、
ａ）３ＧＰＰ  ＴＳ２３．５０１［２５７］で指定されたような緊急サービスフォールバックをＵＥがサポートし、緊急サービスフォールバックが利用可能である（すなわち、３ＧＰＰ  ＴＳ２３．１６７［４Ｂ］で説明されたような「ＥＳＦＢがＹである」）場合、ＵＥは、３ＧＰＰ  ＴＳ２４．５０１［２５８］で指定されたような緊急サービスフォールバックをトリガすることによって、緊急通話を試みることになる。および
ｂ）３ＧＰＰ  ＴＳ２３．５０１［２５７］で指定されたような緊急サービスフォールバックをＵＥがサポートしないか、または緊急サービスフォールバックが利用可能でない（すなわち、３ＧＰＰ  ＴＳ２３．１６７［４Ｂ］で説明されたような「ＥＳＦＢがＮである」）場合、ＵＥは、以下を行うことになる。
−  ＵＥがＥ−ＵＴＲＡを介して５ＧＣＮにアクセスすることができる場合、５ＧＣＮに接続されたＥ−ＵＴＲＡセルを選択しようとする。適切な、５ＧＣＮに接続されたＥ−ＵＴＲＡセルをＵＥが見つけた場合、ＵＥは、５ＧＣＮに接続されたＥ−ＵＴＲＡを介して、３ＧＰＰ  ＴＳ２４．５０１［２５８］で指定されたような緊急サービスのためのＰＤＵセッション確立をトリガすることによって、緊急通話を試みることになる。
そうでなければ、適切な、５ＧＣＮに接続されたＥ−ＵＴＲＡセルをＵＥが見つけない場合、ＵＥは、ＥＰＣに接続されたＥ−ＵＴＲＡセルを選択しようとすることになる。適切な、ＥＰＣに接続されたＥ−ＵＴＲＡセルをＵＥが見つけた場合、３ＧＰＰ  ＴＳ２４．３０１［８Ｊ］で説明されたような「Ｓ１モードの緊急ベアラサービスがサポートされる」ようにＥＭＣ  ＢＳがセットされることをＴＲＡＣＫＩＮＧ  ＡＲＥＡ  ＵＰＤＡＴＥ  ＡＣＣＥＰＴメッセージの中でネットワークが示すと、ＵＥは、付録Ｌで説明されたようなＩＰ−ＣＡＮ固有手順を実施して、緊急通話を確立することになる。または
−  ＵＥがＥ−ＵＴＲＡを介して５ＧＣＮにアクセスすることができない場合、３ＧＰＰ  ＴＳ２４．５０１［２５７］で指定されたような３ＧＰＰアクセスのためのＮ１モード能力を無効にし、ＥＰＣに接続されたＥ−ＵＴＲＡセルを選択しようとする。適切な、ＥＰＣに接続されたＥ−ＵＴＲＡセルをＵＥが見つけた場合、３ＧＰＰ  ＴＳ２４．３０１［８Ｊ］で説明されたような「Ｓ１モードの緊急ベアラサービスがサポートされる」ようにＥＭＣ  ＢＳがセットされることをＴＲＡＣＫＩＮＧ  ＡＲＥＡ  ＵＰＤＡＴＥ  ＡＣＣＥＰＴメッセージの中でネットワークが示すと、ＵＥは、付録Ｌで説明されたようなＩＰ−ＣＡＮ固有手順を実施して、緊急通話を確立することになる。ならびに
３）「５ＧＣＮに接続されたＮＲだけで緊急サービスがサポートされる」または「５ＧＣＮに接続されたＮＲ、および５ＧＣＮに接続されたＥ−ＵＴＲＡで緊急サービスがサポートされる」ことをＥＭＣが示す場合、ＵＥは、３ＧＰＰ  ＴＳ２４．５０１［２５８］で指定されたような緊急サービスのためのＰＤＵセッション確立をトリガすることによって、緊急通話を試みることになる。
【０１０５】
３ＧＰＰ  ＴＳ２４．５０１［２５８］で説明されたような単一登録モードでＵＥが動作し、通話リクエストが緊急通話であるとＵＥが認識すると、以下の場合、
−  ３ＧＰＰ  ＴＳ２３．１６７［４Ｂ］で指定された規則およびルールに従って、ＩＭ  ＣＮサブシステムが選択される、ならびに
−  ＵＥが現在、５ＧＳサービスに登録されているが、ＵＥが５ＧＣＮに接続されたＥ−ＵＴＲＡセル内にある
以下の処置が適用される。
１）「緊急サービスがサポートされない」ことをＥＭＣが示す場合、
ａ）３ＧＰＰ  ＴＳ２３．５０１［２５７］で指定されたような緊急サービスフォールバックをＵＥがサポートし、緊急サービスフォールバックが利用可能である（すなわち、３ＧＰＰ  ＴＳ２３．１６７［４Ｂ］で説明されたような「ＥＳＦＢがＹである」）場合、ＵＥは、３ＧＰＰ  ＴＳ２４．５０１［２５８］で指定されたような緊急サービスフォールバックをトリガすることによって、緊急通話を試みることになる。
ｂ）３ＧＰＰ  ＴＳ２３．５０１［２５７］で指定されたような緊急サービスフォールバックをＵＥがサポートし、緊急サービスフォールバックが利用可能でない（すなわち、３ＧＰＰ  ＴＳ２３．１６７［４Ｂ］で説明されたような「ＥＳＦＢがＮである」）場合、ＵＥは、以下を行うことになる。
−  「５ＧＣＮに接続されたＮＲだけで緊急サービスフォールバックがサポートされる」ようにＥＭＦがセットされ、ＵＥがＮＲを介して５ＧＣＮにアクセスすることができる場合、５ＧＣＮに接続されたＮＲセルを選択しようとする。適切な、５ＧＣＮに接続されたＮＲセルをＵＥが見つけた場合、ＵＥは、５ＧＣＮに接続されたＮＲを介して、３ＧＰＰ  ＴＳ２４．５０１［２５８］で指定されたような緊急サービスフォールバックをトリガすることによって、緊急通話を試みることになる。
そうでなければ、適切な、５ＧＣＮに接続されたＮＲセルをＵＥが見つけなかった場合、ＵＥは、ＥＰＣに接続されたＥ−ＵＴＲＡセルを選択しようとすることになる。適切な、ＥＰＣに接続されたＥ−ＵＴＲＡセルをＵＥが見つけた場合、３ＧＰＰ  ＴＳ２４．３０１［８Ｊ］で説明されたような「Ｓ１モードの緊急ベアラサービスがサポートされる」ようにＥＭＣ  ＢＳがセットされることをＴＲＡＣＫＩＮＧ  ＡＲＥＡ  ＵＰＤＡＴＥ  ＡＣＣＥＰＴメッセージの中でネットワークが示すと、ＵＥは、付録Ｌで説明されたようなＩＰ−ＣＡＮ固有手順を実施して、緊急通話を確立することになる。または
−  「５ＧＣＮに接続されたＮＲだけで緊急サービスフォールバックがサポートされる」ようにＥＭＦがセットされないか、もしくはＵＥがＮＲを介して５ＧＣＮにアクセスすることができない場合、３ＧＰＰ  ＴＳ２４．５０１［２５７］で指定されたような３ＧＰＰアクセスのためのＮ１モード能力を無効にし、ＥＰＣに接続されたＥ−ＵＴＲＡセルを選択しようとする。適切な、ＥＰＣに接続されたＥ−ＵＴＲＡセルをＵＥが見つけた場合、３ＧＰＰ  ＴＳ２４．３０１［８Ｊ］で説明されたような「Ｓ１モードの緊急ベアラサービスがサポートされる」ようにＥＭＣ  ＢＳがセットされることをＴＲＡＣＫＩＮＧ  ＡＲＥＡ  ＵＰＤＡＴＥ  ＡＣＣＥＰＴメッセージの中でネットワークが示すと、ＵＥは、付録Ｌで説明されたようなＩＰ−ＣＡＮ固有手順を実施して、緊急通話を確立することになる。および
ｃ）３ＧＰＰ  ＴＳ２３．５０１［２５７］で指定されたような緊急サービスフォールバックをＵＥがサポートしない場合、ＵＥは、３ＧＰＰ  ＴＳ２４．５０１［２５７］で指定されたような３ＧＰＰアクセスのためのＮ１モード能力を無効にし、ＥＰＣに接続されたＥ−ＵＴＲＡセルを選択しようとすることになる。適切な、ＥＰＣに接続されたＥ−ＵＴＲＡセルをＵＥが見つけた場合、３ＧＰＰ  ＴＳ２４．３０１［８Ｊ］で説明されたような「Ｓ１モードの緊急ベアラサービスがサポートされる」ようにＥＭＣ  ＢＳがセットされることをＴＲＡＣＫＩＮＧ  ＡＲＥＡ  ＵＰＤＡＴＥ  ＡＣＣＥＰＴメッセージの中でネットワークが示すと、ＵＥは、付録Ｌで説明されたようなＩＰ−ＣＡＮ固有手順を実施して、緊急通話を確立することになる。
２）「５ＧＣＮに接続されたＮＲだけで緊急サービスがサポートされる」ことをＥＭＣが示す場合、
ａ）３ＧＰＰ  ＴＳ２３．５０１［２５７］で指定されたような緊急サービスフォールバックをＵＥがサポートし、緊急サービスフォールバックが利用可能である（すなわち、３ＧＰＰ  ＴＳ２３．１６７［４Ｂ］で説明されたような「ＥＳＦＢがＹである」）場合、ＵＥは、３ＧＰＰ  ＴＳ２４．５０１［２５８］で指定されたような緊急サービスフォールバックをトリガすることによって、緊急通話を試みることになる。および
ｂ）３ＧＰＰ  ＴＳ２３．５０１［２５７］で指定されたような緊急サービスフォールバックをＵＥがサポートしないか、または緊急サービスフォールバックが利用可能でない（すなわち、３ＧＰＰ  ＴＳ２３．１６７［４Ｂ］で説明されたような「ＥＳＦＢがＮである」）場合、ＵＥは以下を行うことになる。
−  ＵＥがＮＲを介して５ＧＣＮにアクセスすることができる場合、５ＧＣＮに接続されたＮＲセルを選択しようとする。適切な、５ＧＣＮに接続されたＮＲセルをＵＥが見つけた場合、ＵＥは、緊急通話を確立するために、５ＧＣＮに接続されたＮＲを介して、３ＧＰＰ  ＴＳ２４．５０１［２５８］で指定されたような緊急サービスのためのＰＤＵセッション確立をトリガすることによって、緊急通話を試みることになる。
そうでなければ、適切な、５ＧＣＮに接続されたＮＲセルをＵＥが見つけなかった場合、ＵＥは、ＥＰＣに接続されたＥ−ＵＴＲＡセルを選択しようとすることになる。適切な、ＥＰＣに接続されたＥ−ＵＴＲＡセルをＵＥが見つけた場合、３ＧＰＰ  ＴＳ２４．３０１［８Ｊ］で説明されたような「Ｓ１モードの緊急ベアラサービスがサポートされる」ようにＥＭＣ  ＢＳがセットされることをＴＲＡＣＫＩＮＧ  ＡＲＥＡ  ＵＰＤＡＴＥ  ＡＣＣＥＰＴメッセージの中でネットワークが示すと、ＵＥは、付録Ｌで説明されたようなＩＰ−ＣＡＮ固有手順を実施して、緊急通話を確立することになる。または
−  ＵＥがＮＲを介して５ＧＣＮにアクセスすることができない場合、３ＧＰＰ  ＴＳ２４．５０１［２５７］で指定されたような３ＧＰＰアクセスのためのＮ１モード能力を無効にし、ＥＰＣに接続されたＥ−ＵＴＲＡセルを選択しようとする。適切な、ＥＰＣに接続されたＥ−ＵＴＲＡセルをＵＥが見つけた場合、３ＧＰＰ  ＴＳ２４．３０１［８Ｊ］で説明されたような「Ｓ１モードの緊急ベアラサービスがサポートされる」ようにＥＭＣ  ＢＳがセットされることをＴＲＡＣＫＩＮＧ  ＡＲＥＡ  ＵＰＤＡＴＥ  ＡＣＣＥＰＴメッセージの中でネットワークが示すと、ＵＥは、付録Ｌで説明されたようなＩＰ−ＣＡＮ固有手順を実施して、緊急通話を確立することになる。ならびに
３）「５ＧＣＮに接続されたＥ−ＵＴＲＡだけで緊急サービスがサポートされる」または「５ＧＣＮに接続されたＮＲ、および５ＧＣＮに接続されたＥ−ＵＴＲＡで緊急サービスがサポートされる」ことをＥＭＣが示す場合、ＵＥは、３ＧＰＰ  ＴＳ２４．５０１［２５８］で指定されたような緊急サービスのためのＰＤＵセッション確立をトリガすることによって、緊急通話を試みることになる。」
【０１０６】
３ＧＰＰ  ＴＳ２４．２２９の従属節Ｕ．２．２．６．４は、ＥＭＣおよびＥＭＦ指標、ならびに、特定のアクセス技術のセル内にＵＥがあるときのＥＳＦＢのＵＥのサポートに従って、ＤＲモードのＵＥがどのように動作するかについて言及していない。以下の実施形態の１つまたは複数は、この問題に対処する。
【０１０７】
要約すれば、「緊急サービスがサポートされない」ことをＥＭＣが示す場合、ＵＥは、付録Ｌで説明されたようなＩＰ−ＣＡＮ固有手順を実施して、緊急通話を確立することができる。
【０１０８】
５ＧＣＮに接続されたＮＲセル内にＵＥがあり、５ＧＣＮに接続されたＥ−ＵＴＲＡを介してのみ緊急サービスがサポートされることをＥＭＣが示すことができ、ＵＥがＥＳＦＢをサポートし、ＥＳＦＢがＹであり、ＵＥがＥ−ＵＴＲＡを介して５ＧＣＮにアクセスすることができる場合、ＵＥは、ＥＳＦＢを実施することができる。
【０１０９】
ＵＥが５ＧＣＮに接続されたＥ−ＵＴＲＡセル内にあり、５ＧＣＮに接続されたＮＲを介してのみ緊急サービスがサポートされることをＥＭＣが示し、ＵＥがＥＳＦＢをサポートし、ＥＳＦＢがＹであり、ＵＥがＮＲを介して５ＧＣＮにアクセスすることができる場合、ＵＥは、付録Ｌで説明されたようなＩＰ−ＣＡＮ固有手順を実施して緊急通話を確立することができる。
【０１１０】
ＵＥがとどまっているセルのＲＡＴとは異なるＲＡＴを介してのみ緊急サービスがサポートされることをＥＭＣが示し、ＵＥまたはネットワークにおいてＥＳＦＢが利用可能でなく、ＵＥが異なるＲＡＴを介して５ＧＣＮにアクセスすることができる場合、ＵＥは、異なるＲＡＴを介して、緊急サービスのためのＰＤＵセッション確立をトリガすることによって、緊急通話を実施しようとすることができる。
【０１１１】
試行が失敗した場合、ＵＥは、付録Ｌで説明されたようなＩＰ−ＣＡＮ固有手順を実施して緊急通話を確立することができる。
【０１１２】
ＵＥがとどまっているセルのＲＡＴとは異なるＲＡＴを介してのみ緊急サービスがサポートされることをＥＭＣが示し、ＵＥが異なるＲＡＴを介して５ＧＣＮにアクセスすることができない場合、ＵＥは、付録Ｌで説明されたようなＩＰ−ＣＡＮ固有手順を実施して緊急通話を確立することができる。
【０１１３】
現在のＲＡＴで緊急サービスがサポートされる場合、ＵＥは、緊急サービスのためのＰＤＵセッション確立をトリガすることによって、緊急通話を試みることができる。
【０１１４】
３ＧＰＰ  ＴＳ２４．２２９に従属節Ｕ．２．２．６．ｘを追加することによって、これらの変更を反映することを提案する。
【０１１５】
「Ｕ．２．２．６．ｘ  ２重登録モードでの緊急サービス
注：本従属節は、３ＧＰＰ  ＴＳ２３．１６７［４Ｂ］で指定された規則およびルールに従って、ＩＭ  ＣＮサブシステムをＵＥが選択するケースだけを含み、ＩＰ−ＣＡＮ固有手順を説明する。これは、ＣＳドメインの使用を排除しないが、ＣＳドメインの使用は、本従属節の範囲外である。
【０１１６】
３ＧＰＰ  ＴＳ２４．５０１［２５８］で説明されたような２重登録モードでＵＥが動作し、通話リクエストが緊急通話であるとＵＥが認識すると、以下の場合、
−  ３ＧＰＰ  ＴＳ２３．１６７［４Ｂ］で指定された規則およびルールに従って、ＩＭ  ＣＮサブシステムが選択される、ならびに
−  ＵＥが現在、５ＧＳサービスに登録されているが、５ＧＣＮに接続されたＮＲセル内にＵＥがある
以下の処置が適用される。
１）「緊急サービスがサポートされない」ことをＥＭＣが示す場合、ＵＥは以下を行うことになる。
ａ）ＵＥがＥＰＳサービスにアタッチされ、３ＧＰＰ  ＴＳ２４．３０１［８Ｊ］で説明されたような「Ｓ１モードの緊急ベアラサービスがサポートされる」にセットされたＥＭＣ  ＢＳをネットワークがＵＥに示すと、付録Ｌで説明されたようなＩＰ−ＣＡＮ固有手順を実施して、緊急通話を確立する。または
ｂ）ＵＥがＥＰＳサービスにアタッチされていない場合、ＥＰＣに接続されたＥ−ＵＴＲＡセルを選択しようとする。適切な、ＥＰＣに接続されたＥ−ＵＴＲＡセルをＵＥが見つけた場合、３ＧＰＰ  ＴＳ２４．３０１［８Ｊ］で説明されたような「Ｓ１モードの緊急ベアラサービスがサポートされる」にセットされたＥＭＣ  ＢＳをネットワークがＵＥに示すと、ＵＥは、付録Ｌで説明されたようなＩＰ−ＣＡＮ固有手順を実施して、緊急通話を確立することになる。
２）「５ＧＣＮに接続されたＥ−ＵＴＲＡだけで緊急サービスがサポートされる」ことをＥＭＣが示す場合、
ａ）３ＧＰＰ  ＴＳ２３．５０１［２５７］で指定されたような緊急サービスフォールバックをＵＥがサポートし、緊急サービスフォールバックが利用可能である（すなわち、３ＧＰＰ  ＴＳ２３．１６７［４Ｂ］で説明されたような「ＥＳＦＢがＹである」）場合、およびＵＥがＥ−ＵＴＲＡを介して５ＧＣＮにアクセスすることができる場合、ＵＥは、３ＧＰＰ  ＴＳ２４．５０１［２５８］で指定されたような緊急サービスフォールバックをトリガすることによって、緊急通話を試みることになる。
ｂ）３ＧＰＰ  ＴＳ２３．５０１［２５７］で指定されたような緊急サービスフォールバックをＵＥがサポートしないか、または緊急サービスフォールバックが利用可能でない（すなわち、３ＧＰＰ  ＴＳ２３．１６７［４Ｂ］で説明されたような「ＥＳＦＢがＮである」）場合、およびＵＥがＥ−ＵＴＲＡを介して５ＧＣＮにアクセスすることができる場合、ＵＥは、５ＧＣＮに接続されたＥ−ＵＴＲＡセルを選択しようとすることになる。適切な、５ＧＣＮに接続されたＥ−ＵＴＲＡセルをＵＥが見つけた場合、ＵＥは、５ＧＣＮに接続されたＥ−ＵＴＲＡを介して、３ＧＰＰ  ＴＳ２４．５０１［２５８］で指定されたような緊急サービスのためのＰＤＵセッション確立をトリガすることによって、緊急通話を実施することになる。
そうでなければ、適切な、５ＧＣＮに接続されたＥ−ＵＴＲＡセルをＵＥが見つけることができなかった場合、ＵＥは以下を行うことになる。
−  ＵＥがＥＰＳサービスにアタッチされ、３ＧＰＰ  ＴＳ２４．３０１［８Ｊ］で説明されたような「Ｓ１モードの緊急ベアラサービスがサポートされる」にセットされたＥＭＣ  ＢＳをネットワークがＵＥに示すと、付録Ｌで説明されたようなＩＰ−ＣＡＮ固有手順を実施して、緊急通話を確立する。もしくは
−  ＵＥがＥＰＳサービスにアタッチされていない場合、ＥＰＣに接続されたＥ−ＵＴＲＡセルを選択しようとする。適切な、ＥＰＣに接続されたＥ−ＵＴＲＡセルをＵＥが見つけた場合、３ＧＰＰ  ＴＳ２４．３０１［８Ｊ］で説明されたような「Ｓ１モードの緊急ベアラサービスがサポートされる」にセットされたＥＭＣ  ＢＳをネットワークがＵＥに示すと、ＵＥは、付録Ｌで説明されたようなＩＰ−ＣＡＮ固有手順を実施して、緊急通話を確立することになる。または
ｃ）ＵＥがＥ−ＵＴＲＡを介して５ＧＣＮにアクセスすることができない場合、ＵＥは以下を行うことになる。
−  ＵＥがＥＰＳサービスにアタッチされ、３ＧＰＰ  ＴＳ２４．３０１［８Ｊ］で説明されたような「Ｓ１モードの緊急ベアラサービスがサポートされる」にセットされたＥＭＣ  ＢＳをネットワークがＵＥに示すと、付録Ｌで説明されたようなＩＰ−ＣＡＮ固有手順を実施して、緊急通話を確立する。もしくは
−  ＵＥがＥＰＳサービスにアタッチされていない場合、ＥＰＣに接続されたＥ−ＵＴＲＡセルを選択しようとする。適切な、ＥＰＣに接続されたＥ−ＵＴＲＡセルをＵＥが見つけた場合、３ＧＰＰ  ＴＳ２４．３０１［８Ｊ］で説明されたような「Ｓ１モードの緊急ベアラサービスがサポートされる」にセットされたＥＭＣ  ＢＳをネットワークがＵＥに示すと、ＵＥは、付録Ｌで説明されたようなＩＰ−ＣＡＮ固有手順を実施して、緊急通話を確立することになる。または
３）「５ＧＣＮに接続されたＮＲだけで緊急サービスがサポートされる」もしくは「５ＧＣＮに接続されたＮＲ、および５ＧＣＮに接続されたＥ−ＵＴＲＡで緊急サービスがサポートされる」ことをＥＭＣが示す場合、ＵＥは、３ＧＰＰ  ＴＳ２４．５０１［２５８］で指定されたような緊急サービスのためのＰＤＵセッション確立をトリガすることによって、緊急通話を試みることになる。
【０１１７】
３ＧＰＰ  ＴＳ２４．５０１［２５８］で説明されたような２重登録モードでＵＥが動作し、通話リクエストが緊急通話であるとＵＥが認識すると、以下の場合、
−  ３ＧＰＰ  ＴＳ２３．１６７［４Ｂ］で指定された規則およびルールに従って、ＩＭ  ＣＮサブシステムが選択される、ならびに
−  ＵＥが現在、５ＧＳサービスに登録されているが、ＵＥが５ＧＣＮに接続されたＥ−ＵＴＲＡセル内にある
以下の処置が適用される。
１）「緊急サービスがサポートされない」ことをＥＭＣが示す場合、ＵＥは以下を行うことになる。
ａ）ＵＥがＥＰＳサービスにアタッチされ、３ＧＰＰ  ＴＳ２４．３０１［８Ｊ］で説明されたような「Ｓ１モードの緊急ベアラサービスがサポートされる」にセットされたＥＭＣ  ＢＳをネットワークがＵＥに示すと、付録Ｌで説明されたようなＩＰ−ＣＡＮ固有手順を実施して、緊急通話を確立する。または
ｂ）ＵＥがＥＰＳサービスにアタッチされていない場合、ＥＰＣに接続されたＥ−ＵＴＲＡセルを選択しようとする。適切な、ＥＰＣに接続されたＥ−ＵＴＲＡセルをＵＥが見つけた場合、３ＧＰＰ  ＴＳ２４．３０１［８Ｊ］で説明されたような「Ｓ１モードの緊急ベアラサービスがサポートされる」にセットされたＥＭＣ  ＢＳをネットワークがＵＥに示すと、ＵＥは、付録Ｌで説明されたようなＩＰ−ＣＡＮ固有手順を実施して、緊急通話を確立することになる。
２）「５ＧＣＮに接続されたＮＲだけで緊急サービスがサポートされる」ことをＥＭＣが示す場合、
ａ）ＵＥがＮＲを介して５ＧＣＮにアクセスすることができる場合、ＵＥは、５ＧＣＮに接続されたＮＲセルを選択しようとすることになる。適切な、５ＧＣＮに接続されたＮＲセルをＵＥが見つけた場合、ＵＥは、５ＧＣＮに接続されたＮＲを介して、３ＧＰＰ  ＴＳ２４．５０１［２５８］で指定されたような緊急サービスのためのＰＤＵセッション確立をトリガすることによって、緊急通話を実施することになる。
そうでなければ、適切な、５ＧＣＮに接続されたＮＲセルをＵＥが見つけることができなかった場合、ＵＥは以下を行うことになる。
−  ＵＥがＥＰＳサービスにアタッチされ、３ＧＰＰ  ＴＳ２４．３０１［８Ｊ］で説明されたような「Ｓ１モードの緊急ベアラサービスがサポートされる」にセットされたＥＭＣ  ＢＳをネットワークがＵＥに示すと、付録Ｌで説明されたようなＩＰ−ＣＡＮ固有手順を実施して、緊急通話を確立する。もしくは
−  ＵＥがＥＰＳサービスにアタッチされていない場合、ＥＰＣに接続されたＥ−ＵＴＲＡセルを選択しようとする。適切な、ＥＰＣに接続されたＥ−ＵＴＲＡセルをＵＥが見つけた場合、３ＧＰＰ  ＴＳ２４．３０１［８Ｊ］で説明されたような「Ｓ１モードの緊急ベアラサービスがサポートされる」にセットされたＥＭＣ  ＢＳをネットワークがＵＥに示すと、ＵＥは、付録Ｌで説明されたようなＩＰ−ＣＡＮ固有手順を実施して、緊急通話を確立することになる。または
ｃ）ＵＥがＮＲを介して５ＧＣＮにアクセスすることができない場合、ＵＥは以下を行うことになる。
−  ＵＥがＥＰＳサービスにアタッチされ、３ＧＰＰ  ＴＳ２４．３０１［８Ｊ］で説明されたような「Ｓ１モードの緊急ベアラサービスがサポートされる」にセットされたＥＭＣ  ＢＳをネットワークがＵＥに示すと、付録Ｌで説明されたようなＩＰ−ＣＡＮ固有手順を実施して、緊急通話を確立する。もしくは
−  ＵＥがＥＰＳサービスにアタッチされていない場合、ＥＰＣに接続されたＥ−ＵＴＲＡセルを選択しようとする。適切な、ＥＰＣに接続されたＥ−ＵＴＲＡセルをＵＥが見つけた場合、３ＧＰＰ  ＴＳ２４．３０１［８Ｊ］で説明されたような「Ｓ１モードの緊急ベアラサービスがサポートされる」にセットされたＥＭＣ  ＢＳをネットワークがＵＥに示すと、ＵＥは、付録Ｌで説明されたようなＩＰ−ＣＡＮ固有手順を実施して、緊急通話を確立することになる。または
３）「５ＧＣＮに接続されたＥ−ＵＴＲＡだけで緊急サービスがサポートされる」もしくは「５ＧＣＮに接続されたＮＲ、および５ＧＣＮに接続されたＥ−ＵＴＲＡで緊急サービスがサポートされる」ことをＥＭＣが示す場合、ＵＥは、３ＧＰＰ  ＴＳ２４．５０１［２５８］で指定されたような緊急サービスのためのＰＤＵセッション確立をトリガすることによって、緊急通話を試みることになる。」
【０１１８】
図３は、ＳＲモードでＵＥが動作するときに、ＵＥによって実施される方法の図の概略図を示す。
【０１１９】
ステップ３００では、ＵＥは、通話リクエストをユーザから受け取る。
【０１２０】
ステップ３０２では、ＵＥは、通話リクエストが緊急通話リクエストであると判定する。
【０１２１】
ステップ３０４では、ＵＥは、ＮＲセルに、またはＥ−ＵＴＲＡセルに、ＵＥがとどまっているかどうかを判定する。ＵＥがＮＲセルにとどまっている場合、方法は、ステップ３０６に進む。ＵＥがＥ−ＵＴＲＡＮにとどまっている場合、方法は、ステップ３０８に進む。
【０１２２】
ステップ３０６では（すなわち、ＮＲセルにＵＥがとどまっている）、ＵＥは、例えば、ＥＭＣに基づいて、５ＧＣＮに接続されたＮＲセルによって緊急サービスがサポートされるかどうかを判定する。ＥＭＣは、ＲＥＧＩＳＴＲＡＴＩＯＮ  ＡＣＣＥＰＴメッセージ内の非アクセス層（ＮＡＳ：ｎｏｎ−ａｃｃｅｓｓ  ｓｔｒａｔｕｍ）シグナリングを介して、５ＧＣＮにおけるアクセスおよび移動管理機能（ＡＭＦ）によって、ＵＥに提供することができる。同様に、ＵＥは、例えば、ＥＭＣに基づいて、５ＧＣＮに接続されたＥ−ＵＴＲＡＮセルによって緊急サービスがサポートされるかどうかを判定する。
【０１２３】
５ＧＣＮに接続されたＮＲセルと５ＧＣＮに接続されたＥ−ＵＴＲＡＮセルのどれによっても、緊急サービスがサポートされないことをＥＭＣが示す場合、方法は、（図４に図３をリンクする）ステップＡに進む。５ＧＣＮに接続されたＥ−ＵＴＲＡＮセルによってのみ、緊急サービスがサポートされることをＥＭＣが示す場合、方法は、（図５に図３をリンクする）ステップＢに進む。５ＧＣＮに接続されたＮＲセルのみ、または５ＧＣＮに接続されたＮＲセルと５ＧＣＮに接続されたＥ−ＵＴＲＡＮセルの両方によって、緊急サービスがサポートされることをＥＭＣが示す場合、方法は、（図６に図３をリンクする）ステップＣに進む。
【０１２４】
ステップ３０８では（すなわち、Ｅ−ＵＴＲＡＮセルにＵＥがとどまっている）、ＵＥは、例えば、ＥＭＣに基づいて、５ＧＣＮに接続されたＮＲセルによって緊急サービスがサポートされるかどうかを判定する。同様に、ＵＥは、例えば、ＥＭＣに基づいて、５ＧＣＮに接続されたＥ−ＵＴＲＡＮセルによって緊急サービスがサポートされるかどうかを判定する。
【０１２５】
５ＧＣＮに接続されたＮＲセルと５ＧＣＮに接続されたＥ−ＵＴＲＡＮセルのどれによっても、緊急サービスがサポートされないことをＥＭＣが示す場合、方法は、（図７に図３をリンクする）ステップＤに進む。５ＧＣＮに接続されたＮＲセルによってのみ、緊急サービスがサポートされることをＥＭＣが示す場合、方法は、（図８に図３をリンクする）ステップＥに進む。５ＧＣＮに接続されたＥ−ＵＴＲＡＮセルのみ、または５ＧＣＮに接続されたＮＲセルと５ＧＣＮに接続されたＥ−ＵＴＲＡＮセルの両方によって、緊急サービスがサポートされることをＥＭＣが示す場合、方法は、（図９に図３をリンクする）ステップＦに進む。
【０１２６】
図４は、ＮＲセルにとどまっているＵＥがＳＲモードで動作し、５ＧＣＮに接続されたＥ−ＵＴＲＡセルによっても、５ＧＣＮに接続されたＮＲセルによっても緊急サービスがサポートされないときに、ＵＥによって実施される方法の図の概略図を示す。
【０１２７】
ステップ４００では、ＵＥは、緊急サービスフォールバック手順をＵＥがサポートするかどうかを判定する。緊急サービスフォールバック手順をＵＥがサポートする場合、方法は、ステップ４０２に進む。緊急サービスフォールバック手順をＵＥがサポートしない場合、方法は、４０４に進む。
【０１２８】
ステップ４０２では、ＵＥは、例えば、ＥＳＦＢに基づいて、緊急サービスフォールバック手順が利用可能であるかどうかを判定する。緊急サービスフォールバック手順が利用可能であることをＥＳＦＢが示す場合、方法は、ステップ４０６に進む。緊急サービスフォールバック手順が利用可能でないことをＥＳＦＢが示す場合、方法は、４０８に進む。
【０１２９】
ステップ４０６では（すなわち、緊急サービスフォールバック手順が利用可能である）、ＵＥは、緊急サービスフォールバック手順をトリガすることによって、緊急通話を実施しようとする。
【０１３０】
ステップ４０８では（すなわち、緊急サービスフォールバック手順が利用可能でない）、ＵＥは、例えば、ＥＭＦに基づいて、５ＧＣＮに接続されたＥ−ＵＴＲＡセルによってのみ、緊急サービスフォールバック手順がサポートされるかどうかを判定する。ＥＭＦは、ＲＥＧＩＳＴＲＡＴＩＯＮ  ＡＣＣＥＰＴメッセージ内の非アクセス層（ＮＡＳ）シグナリングを介して、５ＧＣＮにおけるアクセスおよび移動管理機能（ＡＭＦ）によって、ＵＥに提供することができる。５ＧＣＮに接続されたＥ−ＵＴＲＡセルによってのみ、緊急サービスフォールバック手順がサポートされることをＥＭＦが示す場合、方法は、ステップ４１０に進む。５ＧＣＮに接続されたＥ−ＵＴＲＡセルによってのみ、緊急サービスフォールバック手順がサポートされないことをＥＭＦが示す場合、方法は、ステップ４０４に進む。
【０１３１】
ステップ４１０では（すなわち、５ＧＣＮに接続されたＥ−ＵＴＲＡセルによってのみ、緊急サービスフォールバック手順がサポートされる）、ＵＥは、Ｅ−ＵＴＲＡセルを介した５ＧＣＮへのアクセスをＵＥがサポートするかどうか、およびＵＥによってアクセス可能な適切な、５ＧＣＮに接続されたＥ−ＵＴＲＡセルがあるかどうかを判定する。例えば、ＵＥは、Ｅ−ＵＴＲＡ無線スタックをＵＥが有するかどうか、５ＧＣＮに接続されたＥ−ＵＴＲＡセルのカバレッジエリア内にＵＥがあるかどうか、５ＧＣＮに接続されたＥ−ＵＴＲＡセルの負荷が所定の要件を満たすかどうか、ＵＥと、５ＧＣＮに接続されたＥ−ＵＴＲＡセルとの間の無線リンクが所定の要件を満たすかどうか、またはその他を判定することができる。
【０１３２】
一般に、ＵＥに適したセルは、ＵＥがとどまることができるセルと定義することができる。より詳細な基準は、セルが、選択されたＰＬＭＮの一部、または同等のＰＬＭＮリストの中のＰＬＭＮであること、セル選択基準が満たされること、セルが、選択／登録されたＰＬＭＮによってサーブされ、阻止されないこと、マルチビーム動作において、セルの測定量が、（ＮＲだけに適用可能な）同じセルに対応するビームの中から導出されること、等を含む（完全に網羅されていない）。
【０１３３】
ＵＥによってアクセス可能な適切な、５ＧＣＮに接続されたＥ−ＵＴＲＡセルがある場合、方法は、ステップ４１２に進む。ＵＥによってアクセス可能な適切な、５ＧＣＮに接続されたＥ−ＵＴＲＡセルがない場合、方法は、ステップ４０４またはステップ４１４に進む。
【０１３４】
ステップ４１２では、ＵＥは、ＵＥによってアクセス可能な適切な、５ＧＣＮに接続されたＥ−ＵＴＲＡセルを選択し、緊急サービスフォールバック手順をトリガしようとする。
【０１３５】
ステップ４１４では、ＵＥは、Ｅ−ＵＴＲＡセルを介したＥＰＣへのアクセスをＵＥがサポートすること、およびＵＥによってアクセス可能な適切な、ＥＰＣに接続されたＥ−ＵＴＲＡセルがあるかどうかを判定する。例えば、ＵＥは、Ｅ−ＵＴＲＡ無線スタックをＵＥが有するかどうかを判定することができ、ＵＥは、ＥＰＣに接続されたＥ−ＵＴＲＡセルのカバレッジエリア内にＵＥがあるかどうか、ＥＰＣに接続されたＥ−ＵＴＲＡセルの負荷が所定の要件を満たすかどうか、ＵＥと、ＥＰＣに接続されたＥ−ＵＴＲＡセルとの間の無線リンクが所定の要件を満たすかどうか、またはその他を判定することができる。Ｅ−ＵＴＲＡセルを介したＥＰＣへのアクセスをＵＥがサポートし、ＵＥによってアクセス可能な適切な、ＥＰＣに接続されたＥ−ＵＴＲＡセルがあるとＵＥが判定した場合、方法は、ステップ４１６に進む。
【０１３６】
ステップ４１６では（すなわち、ＵＥによってアクセス可能な適切な、ＥＰＣに接続されたＥ−ＵＴＲＡセルがある）、ＵＥは、例えば、ＥＭＣ  ＢＳに基づいて、緊急ベアラサービスがサポートされるかどうかを判定する。ＥＭＣ  ＢＳは、ＴＲＡＣＫＩＮＧ  ＡＲＥＡ  ＵＰＤＡＴＥ  ＡＣＣＥＰＴメッセージまたはＡＴＴＡＣＨ  ＡＣＣＥＰＴメッセージ内のＮＡＳシグナリングを介して、ＥＰＣにおける移動管理エンティティ（ＭＭＥ）によって、提供することができる。
【０１３７】
Ｓ１モードの緊急ベアラサービスがサポートされることをＥＭＣ  ＢＳが示す場合、方法は、ステップ４１８に進む。
【０１３８】
ステップ４１８では（すなわち、Ｓ１モードの緊急ベアラサービスがサポートされる）、ＵＥは、適切な、ＥＰＣに接続されたＥ−ＵＴＲＡセルを選択し、ＩＰ−ＣＡＮ手順を実施することによって緊急通話を実施しようとする。
【０１３９】
ステップ４０４では（すなわち、緊急サービスフォールバック手順をＵＥがサポートしないか、または５ＧＣＮに接続されたＥ−ＵＴＲＡセルによってのみ、緊急サービスフォールバック手順がサポートされないか、または適切な、５ＧＣＮに接続されたＥ−ＵＴＲＡセルがない）、例えば、ＵＥがＮ１モード能力を無効にするなど、ＵＥは、５Ｇ能力を無効にする。次に、方法は、ステップ４１４に進む。
【０１４０】
図５は、ＮＲセルにとどまっているＵＥがＳＲモードで動作し、５ＧＣＮに接続されたＥ−ＵＴＲＡセルによってのみ、緊急サービスがサポートされるときに、ＵＥによって実施される方法の図の概略図を示す。
【０１４１】
ステップ５００では、ＵＥは、緊急サービスフォールバック手順をＵＥがサポートするかどうかを判定する。緊急サービスフォールバック手順をＵＥがサポートする場合、方法は、ステップ５０２に進む。緊急サービスフォールバック手順をＵＥがサポートしない場合、方法は、５０８に進む。
【０１４２】
ステップ５０２では、ＵＥは、例えば、ＥＳＦＢに基づいて、緊急サービスフォールバック手順が利用可能であるかどうかを判定する。緊急サービスフォールバック手順が利用可能であることをＥＳＦＢが示す場合、方法は、ステップ５０６に進む。緊急サービスフォールバック手順が利用可能でないことをＥＳＦＢが示す場合、方法は、５０８に進む。
【０１４３】
ステップ５０６では（すなわち、緊急サービスフォールバック手順が利用可能である）、ＵＥは、緊急サービスフォールバック手順をトリガすることによって、緊急通話を実施しようとする。
【０１４４】
ステップ５０８では（すなわち、緊急サービスフォールバック手順をＵＥがサポートしないか、または緊急サービスフォールバック手順が利用可能でない）、ＵＥは、Ｅ−ＵＴＲＡセルを介した５ＧＣＮへのアクセスをＵＥがサポートするかどうか、およびＵＥによってアクセス可能な適切な、５ＧＣＮに接続されたＥ−ＵＴＲＡセルがあるかどうかを判定する。ＵＥによってアクセス可能な適切な、５ＧＣＮに接続されたＥ−ＵＴＲＡセルがある場合、方法は、ステップ５１０に進む。ＵＥによってアクセス可能な適切な、５ＧＣＮに接続されたＥ−ＵＴＲＡセルがない場合、方法は、ステップ５１１またはステップ５１２に進む。
【０１４５】
ステップ５１０では、ＵＥは、ＵＥによってアクセス可能な適切な、５ＧＣＮに接続されたＥ−ＵＴＲＡセルを選択し、ＰＤＵセッション確立手順をトリガしようとする。
【０１４６】
ステップ５１２では、ＵＥは、Ｅ−ＵＴＲＡセルを介したＥＰＣへのアクセスをＵＥがサポートするかどうか、およびＵＥによってアクセス可能な適切な、ＥＰＣに接続されたＥ−ＵＴＲＡセルがあるかどうかを判定する。ＵＥによってアクセス可能な適切な、ＥＰＣに接続されたＥ−ＵＴＲＡセルがあるとＵＥが判定した場合、方法は、ステップ５１４に進む。
【０１４７】
ステップ５１４では（すなわち、ＵＥによってアクセス可能な適切な、ＥＰＣに接続されたＥ−ＵＴＲＡセルがある）、ＵＥは、例えば、ＥＭＣ  ＢＳに基づいて、緊急ベアラサービスがサポートされるかどうかを判定する。ＥＭＣ  ＢＳは、ＴＲＡＣＫＩＮＧ  ＡＲＥＡ  ＵＰＤＡＴＥ  ＡＣＣＥＰＴメッセージまたはＡＴＴＡＣＨ  ＡＣＣＥＰＴメッセージ内のＮＡＳシグナリングを介して、ＥＰＣにおける移動管理エンティティ（ＭＭＥ）によって、提供することができる。Ｓ１モードの緊急ベアラサービスがサポートされることをＥＭＣ  ＢＳが示す場合、方法は、ステップ５１６に進む。
【０１４８】
ステップ５１６では（すなわち、Ｓ１モードの緊急ベアラサービスがサポートされる）、ＵＥは、適切な、ＥＰＣに接続されたＥ−ＵＴＲＡセルを選択し、ＩＰ−ＣＡＮ手順を実施することによって緊急通話を実施しようとする。
【０１４９】
ステップ５１１では（すなわち、適切な、５ＧＣＮに接続されたＥ−ＵＴＲＡセルがない）、例えば、ＵＥがＮ１モード能力を無効にするなど、ＵＥは、５Ｇ能力を無効にする。次に、方法は、ステップ５１２に進む。
【０１５０】
図６は、ＮＲセルにとどまっているＵＥがＳＲモードで動作し、緊急サービスが、５ＧＣＮに接続されたＮＲセルによってのみサポートされるか、または５ＧＣＮに接続されたＮＲセルとＥ−ＵＴＲＡセルの両方によってサポートされるときに、ＵＥによって実施される方法の図の概略図を示す。
【０１５１】
ステップ６００では、ＵＥは、ＰＤＵセッション確立手順をトリガすることによって、緊急通話を実施しようとする。
【０１５２】
図７は、Ｅ−ＵＴＲＡセルにとどまっているＵＥがＳＲモードで動作し、５ＧＣＮに接続されたＥ−ＵＴＲＡセルによっても、５ＧＣＮに接続されたＮＲセルによっても緊急サービスがサポートされないときに、ＵＥによって実施される方法の図の概略図を示す。
【０１５３】
ステップ７００では、ＵＥは、緊急サービスフォールバック手順をＵＥがサポートするかどうかを判定する。緊急サービスフォールバック手順をＵＥがサポートする場合、方法は、ステップ７０２に進む。緊急サービスフォールバック手順をＵＥがサポートしない場合、方法は、７０４に進む。
【０１５４】
ステップ７０２では、ＵＥは、例えば、ＥＳＦＢに基づいて、緊急サービスフォールバック手順が利用可能であるかどうかを判定する。緊急サービスフォールバック手順が利用可能であることをＥＳＦＢが示す場合、方法は、ステップ７０６に進む。緊急サービスフォールバック手順が利用可能でないことをＥＳＦＢが示す場合、方法は、７０８に進む。
【０１５５】
ステップ７０６では（すなわち、緊急サービスフォールバック手順が利用可能である）、ＵＥは、緊急サービスフォールバック手順をトリガすることによって、緊急通話を実施しようとする。
【０１５６】
ステップ７０８では（すなわち、緊急サービスフォールバック手順が利用可能でない）、ＵＥは、例えば、ＥＭＦに基づいて、５ＧＣＮに接続されたＮＲセルによってのみ、緊急サービスフォールバック手順がサポートされるかどうかを判定する。５ＧＣＮに接続されたＮＲセルによってのみ、緊急サービスフォールバック手順がサポートされることをＥＭＦが示す場合、方法は、ステップ７１０に進む。５ＧＣＮに接続されたＮＲセルによってのみ、緊急サービスフォールバック手順がサポートされないことをＥＭＦが示す場合、方法は、ステップ７０４に進む。
【０１５７】
ステップ７１０では（すなわち、５ＧＣＮに接続されたＮＲによってのみ、緊急サービスフォールバック手順がサポートされる）、ＵＥは、ＮＲセルを介した５ＧＣＮへのアクセスをＵＥがサポートするかどうか、およびＵＥによってアクセス可能な適切な、５ＧＣＮに接続されたＮＲセルがあるかどうかを判定する。例えば、ＵＥは、ＮＲ無線スタックをＵＥが有するかどうか、５ＧＣＮに接続されたＮＲセルのカバレッジエリア内にＵＥがあるかどうか、５ＧＣＮに接続されたＮＲセルの負荷が所定の要件を満たすかどうか、ＵＥと、５ＧＣＮに接続されたＮＲセルとの間の無線リンクが所定の要件を満たすかどうか、またはその他を判定することができる。ＵＥによってアクセス可能な適切な、５ＧＣＮに接続されたＮＲセルがある場合、方法は、ステップ７１２に進む。ＵＥによってアクセス可能な適切な、５ＧＣＮに接続されたＮＲセルがない場合、方法は、ステップ７０４またはステップ７１４に進む。
【０１５８】
ステップ７１２では、ＵＥは、ＵＥによってアクセス可能な適切な、５ＧＣＮに接続されたＥ−ＵＴＲＡセルを選択し、緊急サービスフォールバック手順をトリガしようとする。
【０１５９】
ステップ７１４では、ＵＥは、Ｅ−ＵＴＲＡセルを介したＥＰＣへのアクセスをＵＥがサポートするかどうか、およびＵＥによってアクセス可能な適切な、ＥＰＣに接続されたＥ−ＵＴＲＡセルがあるかどうかを判定する。例えば、ＵＥは、Ｅ−ＵＴＲＡ無線スタックをＵＥが有するかどうか、ＥＰＣに接続されたＥ−ＵＴＲＡセルのカバレッジエリア内にＵＥがあるかどうか、ＥＰＣに接続されたＥ−ＵＴＲＡセルの負荷が所定の要件を満たすかどうか、ＵＥと、ＥＰＣに接続されたＥ−ＵＴＲＡセルとの間の無線リンクが所定の要件を満たすかどうか、またはその他を判定することができる。ＵＥによってアクセス可能な適切な、ＥＰＣに接続されたＥ−ＵＴＲＡセルがあるとＵＥが判定した場合、方法は、ステップ７１６に進む。
【０１６０】
ステップ７１６では（すなわち、ＵＥによってアクセス可能な適切な、ＥＰＣに接続されたＥ−ＵＴＲＡセルがある）、ＵＥは、例えば、ＴＲＡＣＫＩＮＧ  ＡＲＥＡ  ＵＰＤＡＴＥ  ＡＣＣＥＰＴメッセージ内のＥＭＣ  ＢＳに基づいて、緊急ベアラサービスがサポートされるかどうかを判定する。Ｓ１モードの緊急ベアラサービスがサポートされることをＥＭＣ  ＢＳが示す場合、方法は、ステップ７１８に進む。
【０１６１】
ステップ７１８では（すなわち、Ｓ１モードの緊急ベアラサービスがサポートされる）、ＵＥは、適切な、ＥＰＣに接続されたＥ−ＵＴＲＡセルを選択し、ＩＰ−ＣＡＮ手順を実施することによって緊急通話を実施しようとする。
【０１６２】
ステップ７０４では（すなわち、緊急サービスフォールバック手順をＵＥがサポートしないか、または５ＧＣＮに接続されたＮＲセルによってのみ、緊急サービスフォールバック手順がサポートされないか、または適切な、５ＧＣＮに接続されたＮＲセルがない）、例えば、ＵＥがＮ１モード能力を無効にするなど、ＵＥは、５Ｇ能力を無効にする。次に、方法は、ステップ７１４に進む。
【０１６３】
図８は、ＮＲセルにとどまっているＵＥがＳＲモードで動作し、５ＧＣＮに接続されたＮＲセルによってのみ、緊急サービスがサポートされるときに、ＵＥによって実施される方法の図の概略図を示す。
【０１６４】
ステップ８００では、ＵＥは、緊急サービスフォールバック手順をＵＥがサポートするかどうかを判定する。緊急サービスフォールバック手順をＵＥがサポートする場合、方法は、ステップ８０２に進む。緊急サービスフォールバック手順をＵＥがサポートしない場合、方法は、８０８に進む。
【０１６５】
ステップ８０２では、ＵＥは、例えば、ＥＳＦＢに基づいて、緊急サービスフォールバック手順が利用可能であるかどうかを判定する。緊急サービスフォールバック手順が利用可能であることをＥＳＦＢが示す場合、方法は、ステップ８０６に進む。緊急サービスフォールバック手順が利用可能でないことをＥＳＦＢが示す場合、方法は、８０８に進む。
【０１６６】
ステップ８０６では（すなわち、緊急サービスフォールバック手順が利用可能である）、ＵＥは、緊急サービスフォールバック手順をトリガすることによって、緊急通話を実施しようとする。
【０１６７】
ステップ８０８では（すなわち、緊急サービスフォールバック手順をＵＥがサポートしないか、または緊急サービスフォールバック手順が利用可能でない）、ＵＥは、ＮＲセルを介した５ＧＣＮへのアクセスをＵＥがサポートするかどうか、およびＵＥによってアクセス可能な適切な、５ＧＣＮに接続されたＮＲセルがあるかどうかを判定する。ＵＥによってアクセス可能な適切な、５ＧＣＮに接続されたＮＲセルがある場合、方法は、ステップ８１０に進む。ＵＥによってアクセス可能な適切な、５ＧＣＮに接続されたＥ−ＵＴＲＡセルがない場合、方法は、ステップ８１１またはステップ８１２に進む。
【０１６８】
ステップ８１０では、ＵＥは、ＵＥによってアクセス可能な適切な、５ＧＣＮに接続されたＮＲセルを選択し、ＰＤＵセッション確立手順をトリガしようとする。
【０１６９】
ステップ８１２では、ＵＥは、ＵＥによってアクセス可能な適切な、ＥＰＣに接続されたＮＲセルがあるかどうかを判定する。ＵＥによってアクセス可能な適切な、ＥＰＣに接続されたＮＲセルがあるとＵＥが判定した場合、方法は、ステップ８１４に進む。
【０１７０】
ステップ８１４では（すなわち、ＵＥによってアクセス可能な適切な、ＥＰＣに接続されたＥ−ＵＴＲＡセルがある）、ＵＥは、例えば、ＴＲＡＣＫＩＮＧ  ＡＲＥＡ  ＵＰＤＡＴＥ  ＡＣＣＥＰＴメッセージ内のＥＭＣ  ＢＳに基づいて、緊急ベアラサービスがサポートされるかどうかを判定する。Ｓ１モードの緊急ベアラサービスがサポートされることをＥＭＣ  ＢＳが示す場合、方法は、ステップ８１６に進む。
【０１７１】
ステップ８１６では（すなわち、Ｓ１モードの緊急ベアラサービスがサポートされる）、ＵＥは、適切な、ＥＰＣに接続されたＮＲセル選択し、ＩＰ−ＣＡＮ手順を実施することによって緊急通話を実施しようとする。
【０１７２】
ステップ８１１では（すなわち、適切な、５ＧＣＮに接続されたＮＲセルがない）、例えば、ＵＥがＮ１モード能力を無効にするなど、ＵＥは、５Ｇ能力を無効にする。次に、方法は、ステップ５１２に進む。
【０１７３】
図９は、ＮＲセルにとどまっているＵＥがＳＲモードで動作し、緊急サービスが、５ＧＣＮに接続されたＮＲセルによってのみサポートされるか、または５ＧＣＮに接続されたＮＲセルとＥ−ＵＴＲＡセルの両方によってサポートされるときに、ＵＥによって実施される方法の図の概略図を示す。
【０１７４】
ステップ９００では、ＵＥは、ＰＤＵセッション確立手順をトリガすることによって、緊急通話を実施しようとする。
【０１７５】
図１０は、ユーザ機器がＤＲモードで動作するときに、ユーザ機器によって実施される方法の図の概略図を示す。
【０１７６】
ステップ１０００では、ＵＥは、通話リクエストをユーザから受け取る。
【０１７７】
ステップ１００２では、ＵＥは、通話リクエストが緊急通話リクエストであると判定する。
【０１７８】
ステップ１００４では、ＵＥは、ＮＲセルに、またはＥ−ＵＴＲＡセルに、ＵＥがとどまっているかどうかを判定する。ＵＥがＮＲセルにとどまっている場合、方法は、ステップ１００６に進む。ＵＥがＥ−ＵＴＲＡＮにとどまっている場合、方法は、ステップ１００８に進む。
【０１７９】
ステップ１００６では（すなわち、ＮＲセルにＵＥがとどまっている）、ＵＥは、例えば、ＥＭＣに基づいて、５ＧＣＮに接続されたＮＲセルによって緊急サービスがサポートされるかどうかを判定する。同様に、ＵＥは、例えば、ＥＭＣに基づいて、５ＧＣＮに接続されたＥ−ＵＴＲＡＮセルによって緊急サービスがサポートされるかどうかを判定する。
【０１８０】
５ＧＣＮに接続されたＮＲセルと５ＧＣＮに接続されたＥ−ＵＴＲＡＮセルのどれによっても、緊急サービスがサポートされないことをＥＭＣが示す場合、方法は、（図１１に図１０をリンクする）ステップＧに進む。５ＧＣＮに接続されたＥ−ＵＴＲＡＮセルによってのみ、緊急サービスがサポートされることをＥＭＣが示す場合、方法は、（図１２に図１０をリンクする）ステップＨに進む。５ＧＣＮに接続されたＮＲセルのみ、または５ＧＣＮに接続されたＮＲセルと５ＧＣＮに接続されたＥ−ＵＴＲＡＮセルの両方によって、緊急サービスがサポートされることをＥＭＣが示す場合、方法は、（図１３に図１０をリンクする）ステップＩに進む。
【０１８１】
ステップ１００８では（すなわち、Ｅ−ＵＴＲＡＮセルにＵＥがとどまっている）、ＵＥは、例えば、ＥＭＣに基づいて、５ＧＣＮに接続されたＮＲセルによって緊急サービスがサポートされるかどうかを判定する。同様に、ＵＥは、例えば、ＥＭＣに基づいて、５ＧＣＮに接続されたＥ−ＵＴＲＡＮセルによって緊急サービスがサポートされるかどうかを判定する。
【０１８２】
５ＧＣＮに接続されたＮＲセルと５ＧＣＮに接続されたＥ−ＵＴＲＡＮセルのどれによっても、緊急サービスがサポートされないことをＥＭＣが示す場合、方法は、（図１４に図１０をリンクする）ステップＪに進む。５ＧＣＮに接続されたＮＲセルによってのみ、緊急サービスがサポートされることをＥＭＣが示す場合、方法は、（図１５に図１０をリンクする）ステップＫに進む。５ＧＣＮに接続されたＥ−ＵＴＲＡＮセルのみ、または５ＧＣＮに接続されたＮＲセルと５ＧＣＮに接続されたＥ−ＵＴＲＡＮセルの両方によって、緊急サービスがサポートされることをＥＭＣが示す場合、方法は、（図１６に図１０をリンクする）ステップＫに進む。
【０１８３】
図１１は、ＮＲセルにとどまっているＵＥがＤＲモードで動作し、５ＧＣＮに接続されたＥ−ＵＴＲＡセルによっても、５ＧＣＮに接続されたＮＲセルによっても緊急サービスがサポートされないときに、ＵＥによって実施される方法の図の概略図を示す。
【０１８４】
ステップ１１００では、ＵＥは、ＥＰＳサービスにＵＥがアタッチされているかどうか（すなわち、ＥＰＳにＵＥが登録されているかどうか）を判定する。ＵＥがＥＰＳサービスにアタッチされている場合、方法は、ステップ１１０２に進む。ＵＥがＥＰＳサービスにアタッチされていない場合、方法は、１１０４に進む。
【０１８５】
ステップ１１０２では、ＵＥは、例えば、ＥＭＣ  ＢＳに基づいて、緊急ベアラサービスがサポートされるかどうかを判定する。Ｓ１モードの緊急ベアラサービスがサポートされることをＥＭＣ  ＢＳが示す場合、方法は、ステップ１１０６に進む。
【０１８６】
ステップ１１０６では（すなわち、Ｓ１モードの緊急ベアラサービスがサポートされる）、ＵＥは、ＩＰ−ＣＡＮ手順を実施することによって緊急通話を実施しようとする。
【０１８７】
ステップ１１０４では、ＵＥは、Ｅ−ＵＴＲＡセルを介したＥＰＣへのアクセスをサポートするかどうか、およびＵＥによってアクセス可能な適切な、ＥＰＣに接続されたＥ−ＵＴＲＡセルがあるかどうかを判定する。ＵＥによってアクセス可能な適切な、ＥＰＣに接続されたＥ−ＵＴＲＡセルがあるとＵＥが判定した場合、方法は、ステップ１１０８に進む。
【０１８８】
ステップ１１０８では（すなわち、ＵＥによってアクセス可能な適切な、ＥＰＣに接続されたＥ−ＵＴＲＡセルがある）、例えば、ＥＭＣ  ＢＳに基づいて、緊急ベアラサービスがサポートされるかどうかを判定する。Ｓ１モードの緊急ベアラサービスがサポートされることをＥＭＣ  ＢＳが示す場合、方法は、ステップ１１１０に進む。
【０１８９】
ステップ１１１０では（すなわち、Ｓ１モードの緊急ベアラサービスがサポートされる）、ＵＥは、適切な、ＥＰＣに接続されたＥ−ＵＴＲＡセルを選択し、ＩＰ−ＣＡＮ手順を実施することによって緊急通話を実施しようとする。
【０１９０】
図１２は、ＮＲセルにとどまっているＵＥがＤＲモードで動作し、５ＧＣＮに接続されたＥ−ＵＴＲＡセルによってのみ、緊急サービスがサポートされるときに、ＵＥによって実施される方法の図の概略図を示す。
【０１９１】
ステップ１２００では、ＵＥは、緊急サービスフォールバック手順をＵＥがサポートするかどうかを判定する。緊急サービスフォールバック手順をＵＥがサポートする場合、方法は、ステップ１２０２に進む。緊急サービスフォールバック手順をＵＥがサポートしない場合、方法は、１２０４に進む。
【０１９２】
ステップ１２０２では、ＵＥは、例えば、ＥＳＦＢに基づいて、緊急サービスフォールバック手順が利用可能であるかどうかを判定する。緊急サービスフォールバック手順が利用可能であることをＥＳＦＢが示す場合、方法は、ステップ１２０６に進む。緊急サービスフォールバック手順が利用可能でないことをＥＳＦＢが示す場合、方法は、１２０４に進む。
【０１９３】
ステップ１２０６では（すなわち、緊急サービスフォールバック手順をＵＥがサポートし、緊急サービスフォールバック手順が利用可能である）、ＵＥは、Ｅ−ＵＴＲＡセルを介した５ＧＣＮへのアクセスをＵＥがサポートするかどうか、およびＵＥによってアクセス可能な適切な、５ＧＣＮに接続されたＥ−ＵＴＲＡセルがあるかどうかを判定する。ＵＥによってアクセス可能な適切な、５ＧＣＮに接続されたＥ−ＵＴＲＡセルがある場合、方法は、ステップ１２０８に進む。ＵＥによってアクセス可能な適切な、５ＧＣＮに接続されたＥ−ＵＴＲＡセルがない場合、方法は、ステップ１２１０に進む。
【０１９４】
ステップ１２０８では、ＵＥは、ＵＥによってアクセス可能な適切な、５ＧＣＮに接続されたＥ−ＵＴＲＡセルを選択し、緊急サービスフォールバック手順をトリガすることによって、緊急通話を実施しようとする。
【０１９５】
ステップ１２０４では（すなわち、緊急サービスフォールバック手順をＵＥがサポートし、緊急サービスフォールバック手順が利用可能である）、ＵＥは、ＵＥがＥ−ＵＴＲＡセルを介して５ＧＣＮにアクセスすることができるかどうかを判定する。言い換えれば、ＵＥは、ＵＥによってアクセス可能な適切な、５ＧＣＮに接続されたＥ−ＵＴＲＡセルがあるかどうかを判定する。ＵＥによってアクセス可能な適切な、５ＧＣＮに接続されたＥ−ＵＴＲＡセルがある場合、方法は、ステップ１２０５に進む。ＵＥによってアクセス可能な適切な、５ＧＣＮに接続されたＥ−ＵＴＲＡセルがない場合、方法は、ステップ１２１０に進む。
【０１９６】
ステップ１２０５では、ＵＥは、ＵＥによってアクセス可能な適切な、５ＧＣＮに接続されたＥ−ＵＴＲＡセルを選択し、ＰＤＵセッション確立手順をトリガすることによって、緊急通話を実施しようとする。
【０１９７】
ステップ１２１０では（すなわち、ＵＥによってアクセス可能な適切な、５ＧＣＮに接続されたＥ−ＵＴＲＡセルがない）、ＵＥは、ＥＰＳサービスにＵＥがアタッチされているかどうかを判定する。ＵＥがＥＰＳサービスにアタッチされている場合、方法は、ステップ１２１２に進む。ＵＥがＥＰＳサービスにアタッチされていない場合、方法は、１２１４に進む。
【０１９８】
ステップ１２１２では、ＵＥは、例えば、ＥＭＣ  ＢＳに基づいて、緊急ベアラサービスがサポートされるかどうかを判定する。Ｓ１モードの緊急ベアラサービスがサポートされることをＥＭＣ  ＢＳが示す場合、方法は、ステップ１２１６に進む。
【０１９９】
ステップ１２１６では（すなわち、Ｓ１モードの緊急ベアラサービスがサポートされる）、ＵＥは、ＩＰ−ＣＡＮ手順を実施することによって緊急通話を実施しようとする。
【０２００】
ステップ１２１４では、ＵＥは、Ｅ−ＵＴＲＡセルを介したＥＰＣへのアクセスをＵＥがサポートするかどうか、およびＵＥによってアクセス可能な適切な、ＥＰＣに接続されたＥ−ＵＴＲＡセルがあるかどうかを判定する。ＵＥによってアクセス可能な適切な、ＥＰＣに接続されたＥ−ＵＴＲＡセルがあるとＵＥが判定した場合、方法は、ステップ１２１２に進む。
【０２０１】
図１３は、ＮＲセルにとどまっているＵＥがＤＲモードで動作し、緊急サービスが、５ＧＣＮに接続されたＮＲセルによってのみサポートされるか、または５ＧＣＮに接続されたＮＲセルとＥ−ＵＴＲＡセルの両方によってサポートされるときに、ＵＥによって実施される方法の図の概略図を示す。
【０２０２】
ステップ１３００では、ＵＥは、ＰＤＵセッション確立手順をトリガすることによって、緊急通話を実施しようとする。
【０２０３】
図１４は、Ｅ−ＵＴＲＡセルにとどまっているＵＥがＤＲモードで動作し、５ＧＣＮに接続されたＥ−ＵＴＲＡセルによっても、５ＧＣＮに接続されたＮＲセルによっても緊急サービスがサポートされないときに、ＵＥによって実施される方法の図の概略図を示す。
【０２０４】
ステップ１４００では、ＵＥは、ＥＰＳサービスにＵＥがアタッチされているかどうかを判定する。ＵＥがＥＰＳサービスにアタッチされている場合、方法は、ステップ１４０２に進む。ＵＥがＥＰＳサービスにアタッチされていない場合、方法は、１４０４に進む。
【０２０５】
ステップ１４０２では、ＵＥは、例えば、ＥＭＣ  ＢＳに基づいて、緊急ベアラサービスがサポートされるかどうかを判定する。Ｓ１モードの緊急ベアラサービスがサポートされることをＥＭＣ  ＢＳが示す場合、方法は、ステップ１４０６に進む。
【０２０６】
ステップ１４０６では（すなわち、Ｓ１モードの緊急ベアラサービスがサポートされる）、ＵＥは、ＩＰ−ＣＡＮ手順を実施することによって緊急通話を実施しようとする。
【０２０７】
ステップ１４０４では、ＵＥは、Ｅ−ＵＴＲＡセルを介したＥＰＣへのアクセスをＵＥがサポートするかどうか、およびＵＥによってアクセス可能な適切な、ＥＰＣに接続されたＥ−ＵＴＲＡセルがあるかどうかを判定する。ＵＥによってアクセス可能な適切な、ＥＰＣに接続されたＥ−ＵＴＲＡセルがあるとＵＥが判定した場合、方法は、ステップ１４０８に進む。
【０２０８】
ステップ１４０８では（すなわち、ＵＥによってアクセス可能な適切な、ＥＰＣに接続されたＥ−ＵＴＲＡセルがある）、例えば、ＥＭＣ  ＢＳに基づいて、緊急ベアラサービスがサポートされるかどうかを判定する。Ｓ１モードの緊急ベアラサービスがサポートされることをＥＭＣ  ＢＳが示す場合、方法は、ステップ１４１０に進む。
【０２０９】
ステップ１４１０では（すなわち、Ｓ１モードの緊急ベアラサービスがサポートされる）、ＵＥは、適切な、ＥＰＣに接続されたＥ−ＵＴＲＡセルを選択し、ＩＰ−ＣＡＮ手順を実施することによって緊急通話を実施しようとする。
【０２１０】
図１５は、Ｅ−ＵＴＲＡセルにとどまっているＵＥがＤＲモードで動作し、５ＧＣＮに接続されたＮＲセルによってのみ、緊急サービスがサポートされるときに、ＵＥによって実施される方法の図の概略図を示す。
【０２１１】
ステップ１５００では、ＵＥは、ＮＲセルを介した５ＧＣＮへのアクセスをＵＥがサポートするかどうか、およびＵＥによってアクセス可能な適切な、５ＧＣＮに接続されたＮＲセルがあるかどうかを判定する。ＵＥによってアクセス可能な適切な、５ＧＣＮに接続されたＮＲセルがある場合、方法は、ステップ１５０２に進む。ＵＥによってアクセス可能な適切な、５ＧＣＮに接続されたＮＲセルがない場合、方法は、ステップ１５０４に進む。
【０２１２】
ステップ１５０２では（すなわち、ＵＥによってアクセス可能な適切な、５ＧＣＮに接続されたＮＲセルがある）、ＵＥは、適切な、５ＧＣＮに接続されたＮＲセルを選択し、ＰＤＵセッション確立手順を実施することによって、緊急通話を実施しようとする。
【０２１３】
ステップ１５０４では（すなわち、ＵＥによってアクセス可能な適切な、５ＧＣＮに接続されたＮＲセルがない）、ＵＥは、ＥＰＳサービスにＵＥがアタッチされているかどうかを判定する。ＵＥがＥＰＳサービスにアタッチされている場合、方法は、ステップ１５０６に進む。ＵＥがＥＰＳサービスにアタッチされていない場合、方法は、１５０８に進む。
【０２１４】
ステップ１５０６では、ＵＥは、例えば、ＥＭＣ  ＢＳに基づいて、緊急ベアラサービスがサポートされるかどうかを判定する。Ｓ１モードの緊急ベアラサービスがサポートされることをＥＭＣ  ＢＳが示す場合、方法は、ステップ１５１０に進む。
【０２１５】
ステップ１５１０では（すなわち、Ｓ１モードの緊急ベアラサービスがサポートされる）、ＵＥは、ＩＰ−ＣＡＮ手順を実施することによって緊急通話を実施しようとする。
【０２１６】
ステップ１５０８では、ＵＥは、Ｅ−ＵＴＲＡセルを介したＥＰＣへのアクセスをＵＥがサポートするかどうか、およびＵＥによってアクセス可能な適切な、ＥＰＣに接続されたＥ−ＵＴＲＡセルがあるかどうかを判定する。ＵＥによってアクセス可能な適切な、ＥＰＣに接続されたＥ−ＵＴＲＡセルがあるとＵＥが判定した場合、方法は、ステップ１５０６に進む。
【０２１７】
図１６は、ＮＲセルにとどまっているＵＥがＤＲモードで動作し、緊急サービスが、５ＧＣＮに接続されたＮＲセルによってのみサポートされるか、または５ＧＣＮに接続されたＮＲセルとＥ−ＵＴＲＡセルの両方によってサポートされるときに、ＵＥによって実施される方法の図の概略図を示す。
【０２１８】
ステップ１６００では、ＵＥは、ＰＤＵセッション確立手順をトリガすることによって、緊急通話を実施しようとする。
【０２１９】
５ＧおよびＥ−ＵＴＲＡＮに関して図３から図１６までの方法を説明してきたが、他のタイプの無線アクセス技術に同じ概念が適用可能であることが理解されよう。
【０２２０】
図１７は、ユーザ機器によって実施される方法の図の概略図である。以下のステップは、任意の適切な順序で実施できることが理解されよう。
【０２２１】
ステップ１７００では、ＵＥは、ＵＥがＳＲモードで動作しているか、ＤＲモードで動作しているかを判定する。
【０２２２】
ステップ１７０２では、ＵＥは、ＵＥがとどまっているセルの第１の無線アクセス技術を判定する。
【０２２３】
ステップ１７０４では、ＵＥは、（ｉ）第１の無線アクセス技術と第２の無線アクセス技術の両方が緊急サービスをサポートするか、第１の無線アクセス技術だけが緊急サービスをサポートする、（ｉｉ）第２の無線アクセス技術だけが緊急サービスをサポートするかどうか、または（ｉｉｉ）第１の無線アクセス技術と第２の無線アクセス技術のどれも緊急サービスをサポートしない、を判定する。
【０２２４】
ステップ１７０４では、ＵＥは、第１のＲＡＴコアネットワークまたは第２のＲＡＴコアネットワークにアクセスし、緊急通話を実施するために、第１のＲＡＴを使用することから第２のＲＡＴを使用することにＵＥをスイッチしようとするための少なくとも１つの条件を判定する。少なくとも１つの条件は、ＵＥがＳＲモードで動作しているか、ＤＲモードで動作しているか、第１のＲＡＴ、および、（ｉ）第１の無線アクセス技術と第２の無線アクセス技術の両方が緊急サービスをサポートするか、第１の無線アクセス技術だけが緊急サービスをサポートする、（ｉｉ）第２の無線アクセス技術だけが緊急サービスをサポートする、または（ｉｉｉ）第１の無線アクセス技術と第２の無線アクセス技術のどれも緊急サービスをサポートしない、に基づいて判定される（例えば、図３から図１０の分岐ＡからＬを参照）。
【０２２５】
１つの例では、ＵＥがＳＲモードで動作し、ＵＥが５Ｇセルにとどまっており、５ＧとＥ−ＵＴＲＡのどれも緊急サービスをサポートしない（分岐Ａ−図４）。５ＧＣＮにアクセスし、緊急フォールバック手順をトリガすることによって、緊急通話を実施するために、５Ｇセルを使用することからＥ−ＵＴＲＡセルを使用することにスイッチしようとするための少なくとも１つの条件は、
−  緊急サービスフォールバック手順をＵＥがサポートする（ステップ４００）、
−  緊急サービスフォールバック手順が利用可能でない（ステップ４０２）、および
−  第１のＲＡＴコアネットワーク接続された第２のＲＡＴセルでのみ、緊急サービスフォールバック手順がサポートされる（ステップ４０８）
を含む。
【０２２６】
ステップ１７０６では、少なくとも１つの条件が満たされることに応答して、ＵＥは、第２の無線アクセス技術のセルを介して、第１のＲＡＴコアネットワークまたは第２のＲＡＴコアネットワークへのアクセスをユーザ機器がサポートすることを保証する。
【０２２７】
上記の例では、ＵＥは、Ｅ−ＵＴＲＡセルを介した５ＧＮへのアクセスをＵＥがサポートすると判定する（ステップ４１０）。
【０２２８】
ステップ１７０８では、ＵＥは、ユーザ機器によってアクセス可能であり、第１のＲＡＴコアネットワークまたは第２のＲＡＴコアネットワークに接続された第２の無線アクセス技術の適切なセルがあると判定する。
【０２２９】
上記の例では、ＵＥは、ＵＥによってアクセス可能な適切な、５ＧＣＮに接続されたＥ−ＵＴＲＡセルがあると判定する（ステップ４１０）。
【０２３０】
ステップ１７１０では、ＵＥは、第１のＲＡＴコアネットワークまたは第２のＲＡＴコアネットワークにアクセスし、緊急通話を実施するために、第１のＲＡＴから第２のＲＡＴにスイッチしようとする。スイッチが成功すると、ＵＥは、緊急通話を実施する。
【０２３１】
上記の例では、ＵＥは、緊急サービスフォールバック手順をトリガすることによって、緊急通話を実施する（ステップ４１２）。
【０２３２】
上記の方法の長所は、ステップ１７０８および／またはステップ１７１０を実行することによって、第１のＲＡＴから第２のＲＡＴにスイッチしようとするときの失敗のリスクを最小化できることである。実際は、既存の解決策とは異なり、ＵＥは、第１のＲＡＴから第２のＲＡＴに盲目的にスイッチしようとしない。
【０２３３】
必要なデータ処理装置および機能は、１つまたは複数のデータプロセッサによって提供することができる。装置は、通信デバイス内、制御装置内、および／またはアクセスポイント内に設置することができる。各終端における説明した機能は、別個のプロセッサによって、または統合されたプロセッサによって、提供することができる。データプロセッサは、ローカル技術環境に適した任意のタイプのものであってもよく、非限定的な例として、汎用コンピュータ、専用コンピュータ、マイクロプロセッサ、デジタルシグナルプロセッサ（ＤＳＰ）、特定用途向け集積回路（ＡＳＩＣ）、ゲートレベル回路、および、マルチコアプロセッサアーキテクチャに基づくプロセッサの１つまたは複数を含むことができる。データ処理は、いくつかのデータ処理モジュールにわたって分散させることができる。データプロセッサは、例えば、少なくとも１つのチップによって提供することができる。適切なメモリ容量も、関連デバイスに提供することができる。１つまたは複数のメモリは、ローカル技術環境に適した任意のタイプのものであってもよく、半導体ベースのメモリデバイス、磁気メモリデバイスおよびシステム、光メモリデバイスおよびシステム、固定メモリおよび取外し可能メモリなどの、任意の適切なデータストレージ技術を使用して実装されてもよい。
【０２３４】
一般に、様々な実施形態は、ハードウェアもしくは専用回路、ソフトウェア、ロジック、またはこれらの任意の組合せで実装することができる。本発明のいくつかの態様は、ハードウェアで実装することができ、一方で、他の態様は、コントローラ、マイクロプロセッサ、または他のコンピューティングデバイスによって実行され得るファームウェアまたはソフトウェアで実装することができるが、本発明は、これらに限定されない。本発明の様々な態様は、ブロック図、流れ図として、または、他のいくつかの図的記述を使用して示し、説明することができるが、本明細書で説明したこれらのブロック、装置、システム、技法、または方法は、非限定的な例として、ハードウェア、ソフトウェア、ファームウェア、専用回路もしくはロジック、汎用ハードウェアもしくはコントローラもしくは他のコンピューティングデバイス、またはこれらのいくつかの組合せで実装できることをよく理解されたい。ソフトウェアは、メモリチップ、またはプロセッサ内に実装されたメモリブロックのような物理媒体、ハードディスクまたはフロッピーディスクなどの磁気媒体、ならびに例えば、ＤＶＤおよびそのデータ変形物、ＣＤなどの光媒体に記憶することができる。
【０２３５】
前述の説明は、本発明の例示的な実施形態の十分かつ有益な説明を、例示的かつ非限定的な例によって提供してきた。それでも、添付の図面および添付の特許請求の範囲とともに読むとき、前述の説明を考慮すれば、様々な修正および適合が当業者には明らかになり得る。具体的には、上記の実施形態の１つまたは複数を組み合わせることができることが理解されよう。それでも、本発明の教示の全てのこのような、および類似の修正は、依然として、添付の特許請求の範囲に規定されたような本発明の精神および範囲に含まれることになる。実際は、以前に論じた他の実施形態のいずれかの１つまたは複数の組合せを含むさらなる実施形態がある。
【図１】
2021528920.tif 000003
【図２】
2021528920.tif 000004
【図３】
2021528920.tif 000005
【図４】
2021528920.tif 000006
【図５】
2021528920.tif 000007
【図６】
2021528920.tif 000008
【図７】
2021528920.tif 000009
【図８】
2021528920.tif 000010
【図９】
2021528920.tif 000011
【図１０】
2021528920.tif 000012
【図１１】
2021528920.tif 000013
【図１２】
2021528920.tif 000014
【図１３】
2021528920.tif 000015
【図１４】
2021528920.tif 000016
【図１５】
2021528920.tif 000017
【図１６】
2021528920.tif 000018
【図１７】
2021528920.tif 000019
【手続補正書】
【提出日】令和3年2月24日(2021.2.24)
【手続補正１】
【補正対象書類名】特許請求の範囲
【補正対象項目名】全文
【補正方法】変更
【補正の内容】
【特許請求の範囲】
【請求項１】
装置であって、
少なくとも１つのプロセッサと、
コンピュータプログラムコードを含む少なくとも１つのメモリと
を備え、
前記少なくとも１つのメモリおよび前記コンピュータプログラムコードが、
緊急通話を実施するために、第１の無線アクセス技術を使用することから第２の無線アクセス技術を使用することにユーザ機器がスイッチすることになると判定することと、
前記第２の無線アクセス技術のセルを介したコアネットワークへのアクセスを前記ユーザ機器がサポートすると判定することと、
前記第１の無線アクセス技術を使用することから前記第２の無線アクセス技術に前記ユーザ機器をスイッチすることと
を前記少なくとも１つのプロセッサによって前記装置に少なくとも行わせるように構成される、
装置。
【請求項２】
前記少なくとも１つのメモリおよび前記コンピュータプログラムコードが、
前記ユーザ機器によってアクセス可能であり、前記コアネットワークに接続された前記第２の無線アクセス技術の適切なセルがあると判定すること
を前記少なくとも１つのプロセッサによって前記装置に少なくとも行わせるように構成される、請求項１に記載の装置。
【請求項３】
前記コアネットワークが、第１の無線アクセス技術のコアネットワークである、請求項１または２に記載の装置。
【請求項４】
前記コアネットワークが、第２の無線アクセス技術のコアネットワークである、請求項１または２に記載の装置。
【請求項５】
前記ユーザ機器が、前記第１の無線アクセス技術のセルにとどまっている、請求項１から４のいずれかに記載の装置。
【請求項６】
第１の無線アクセス技術を使用することから第２の無線アクセス技術を使用することにスイッチすることが、前記第２の無線アクセス技術のセルを選択することを含む、請求項１から５のいずれかに記載の装置。
【請求項７】
前記少なくとも１つのメモリおよび前記コンピュータプログラムコードが、
前記第１の無線アクセス技術を判定することと、
これに基づいて、前記第１の無線アクセス技術を使用することから第２の無線アクセス技術にスイッチするための少なくとも１つの条件を判定することと
を前記少なくとも１つのプロセッサによって前記装置に少なくとも行わせるように構成される、請求項１から６のいずれかに記載の装置。
【請求項８】
前記少なくとも１つのメモリおよび前記コンピュータプログラムコードが、
単一登録モードまたは２重登録モードで前記ユーザ機器が動作するかどうかを判定することと、
これに基づいて、第１の無線アクセス技術を使用することから第２の無線アクセス技術を使用することにスイッチするための少なくとも１つの条件を判定することと
を前記少なくとも１つのプロセッサによって前記装置に少なくとも行わせるように構成される、請求項１から７のいずれかに記載の装置。
【請求項９】
前記少なくとも１つのメモリおよび前記コンピュータプログラムコードが、
（ｉ）前記第１の無線アクセス技術と前記第２の無線アクセス技術の両方が緊急サービスをサポートするか、前記第１の無線アクセス技術だけが前記緊急サービスをサポートする、（ｉｉ）前記第２の無線アクセス技術だけが前記緊急サービスをサポートする、または（ｉｉｉ）前記第１の無線アクセス技術と前記第２の無線アクセス技術のどれも前記緊急サービスをサポートしない、を判定することと、
これに基づいて、第１の無線アクセス技術の第１のセルを使用することから第２の無線アクセス技術の第２のセルを使用することに前記ユーザ機器をスイッチするための少なくとも１つの条件を判定することと
を前記少なくとも１つのプロセッサによって前記装置に少なくとも行わせるように構成される、請求項１から８のいずれかに記載の装置。
【請求項１０】
前記少なくとも１つのメモリおよび前記コンピュータプログラムコードが、
前記ユーザ機器によってアクセス可能であり、第１の無線アクセスネットワークのコアネットワークに接続された前記第２の無線アクセス技術の適切なセルがないと判定すること
を前記少なくとも１つのプロセッサによって前記装置に少なくとも行わせるように構成される、請求項１から９のいずれかに記載の装置。
【請求項１１】
前記少なくとも１つのメモリおよび前記コンピュータプログラムコードが、
前記ユーザ機器の第１の無線アクセス技術の能力を無効にすること
を前記少なくとも１つのプロセッサによって前記装置に少なくとも行わせるように構成される、請求項１から９のいずれかに記載の装置。
【請求項１２】
前記少なくとも１つのメモリおよび前記コンピュータプログラムコードが、
第２の無線アクセス技術のサービスに前記ユーザ機器がアタッチされていないと判定すること
を前記少なくとも１つのプロセッサによって前記装置に少なくとも行わせるように構成される、請求項１から９のいずれかに記載の装置。
【請求項１３】
前記少なくとも１つのメモリおよび前記コンピュータプログラムコードが、
前記ユーザ機器によってアクセス可能であり、第２の無線アクセスネットワークのコアネットワークに接続された前記第２の無線アクセス技術の適切なセルがあるかどうかを判定すること
を前記少なくとも１つのプロセッサによって前記装置に少なくとも行わせるように構成される、請求項８から１０のいずれかに記載の装置。
【請求項１４】
前記少なくとも１つのメモリおよび前記コンピュータプログラムコードが、
第２の無線アクセス技術のサービスに前記ユーザ機器がアタッチされていると判定すること
を前記少なくとも１つのプロセッサによって前記装置に少なくとも行わせるように構成される、請求項１から１３のいずれかに記載の装置。
【請求項１５】
前記少なくとも１つのメモリおよび前記コンピュータプログラムコードが、
緊急ベアラサービスがサポートされると判定すること
を前記少なくとも１つのプロセッサによって前記装置に少なくとも行わせるように構成される、請求項１３または１４に記載の装置。
【請求項１６】
前記少なくとも１つのメモリおよび前記コンピュータプログラムコードが、
インターネットプロトコル接続アクセス手順をトリガすることによって、前記緊急通話を前記ユーザ機器に実施させること
を前記少なくとも１つのプロセッサによって前記装置に少なくとも行わせるように構成される、請求項１から１５のいずれかに記載の装置。
【請求項１７】
前記少なくとも１つのメモリおよび前記コンピュータプログラムコードが、
緊急サービスフォールバック手順をトリガすることによって、前記緊急通話を前記ユーザ機器に実施させること
を前記少なくとも１つのプロセッサによって前記装置に少なくとも行わせるように構成される、請求項１から１６のいずれかに記載の装置。
【請求項１８】
前記少なくとも１つのメモリおよび前記コンピュータプログラムコードが、
パケットデータユニットセッション確立手順をトリガすることによって、前記緊急通話を前記ユーザ機器に実施させること
を前記少なくとも１つのプロセッサによって前記装置に少なくとも行わせるように構成される、請求項１から１７のいずれかに記載の装置。
【請求項１９】
緊急通話を実施するために、第１の無線アクセス技術を使用することから第２の無線アクセス技術を使用することにユーザ機器がスイッチすることになると判定することと、
前記第２の無線アクセス技術のセルを介したコアネットワークへのアクセスを前記ユーザ機器がサポートすると判定することと、
前記第１の無線アクセス技術を使用することから前記第２の無線アクセス技術に前記ユーザ機器をスイッチすることと
を含む、方法。
【請求項２０】
１つまたは複数のプロセッサ上で動くと、
緊急通話を実施するために、第１の無線アクセス技術を使用することから第２の無線アクセス技術を使用することにユーザ機器がスイッチすることになると判定することと、
前記第２の無線アクセス技術のセルを介したコアネットワークへのアクセスを前記ユーザ機器がサポートすると判定することと、
前記第１の無線アクセス技術を使用することから前記第２の無線アクセス技術に前記ユーザ機器をスイッチすることと
を行うステップを実施するコンピュータ実行可能命令を備えるコンピュータプログラム。
【国際調査報告】
2021528920.tif 000020
2021528920.tif 000021
2021528920.tif 000022